(57)【要約】物理キーボードは、電話の数字キー配置が付加された縮小列ＱＷＥＲＴＹキー配置を有する複数の多機能キーを含み、テキスト入力および電話方式に使用される。他の物理キーボードは、アルファベット文字列と付加された数字配列を有する複数の多機能キーを含む。携帯式移動局は、標準アルファベットキー配置を有する第１のユーザーインターフェイス、および電話の数字キー配置を有する第２のユーザーインターフェイスを含む。該キーボードのスペースキーは、行内の残りのキーよりも高くあり得る。
2007517294.tif 000002
【特許請求の範囲】
【請求項１】
ＡからＺの文字の標準キーボードのレイアウト配列に対応するアルファベット文字と、０から９の数に対応する、付加された電話の数字キー配置とに関連するキーを含む、複数のキーおよび対応する印を備えるキーボードであって、アルファベット文字と関連する該複数のキーが２６よりも少なく、スペースキーを備える少なくとも一つのファンクションキーをさらに備え、該スペースキーが、該複数のキーのうちの残りのキーの高さよりも高い高さを有する、キーボード。
【請求項２】
前記スペースキーが、キーの行に配置され、該キーの行にある残りのキーの下に延びている、請求項１に記載のキーボード。
【請求項３】
前記複数のキーが、複数の列および行を有するグリッドパターンに配置され、前記スペースキーがキーの底の行に配置され、該底の行にある残りのキーの下に延びている、請求項１に記載のキーボード。
【請求項４】
前記スペースキーが、キーの前記底の行の中央に配置される、請求項３に記載のキーボード。
【請求項５】
前記スペースキーが０の数字を有するキーを共有する、請求項１に記載の物理キーボード。
【請求項６】
前記スペースキーが、ユーザがタッチに利用する指によって接触されるように構成される、請求項１に記載の物理キーボード。
【請求項７】
前記標準キーボードレイアウトが、ＱＷＥＲＴＹ、ＱＷＥＲＴＺ、ＡＺＥＲＴＹ、およびＤＶＯＲＡＫのうちの一つを備える、請求項１に記載の物理キーボード。
【請求項８】
底の行を含む複数の行を有するグリッドパターンにおいて配置される複数のキーであって、該複数のキーが、ＡからＺの文字、０から９の数字、および少なくとも一つの機能に対応する印に関連する、複数のキーを備えるキーボードであって、
該底の行に配置された複数のキーが上部整列ラインおよび底部整列ラインを有し、一つの領域が該上部整列ラインと該底部整列ラインとの間に置かれ、該キーの少なくとも一つが、該上部整列ラインと該底部ラインのと配置の間の該領域の外側に延びる伸長キーを含む、キーボード。
【請求項９】
前記伸長キーが前記底部整列ラインの下に延びている、請求項８に記載のキーボード。
【請求項１０】
前記伸長キーがキーの個々の行の中央に配置される、請求項９に記載のキーボード。
【請求項１１】
前記少なくとも一つの機能がスペース機能を含み、前記伸長キーが該スペース機能に関連する単一のキーを含む、請求項８に記載のキーボード。
【請求項１２】
前記伸長キーが、数字の「０」にさらに関連する、請求項１１に記載のキーボード。
【請求項１３】
複数の行を有するグリッドパターンにおいて配置される複数のキーであって、該行の各々は、上部整列ラインおよび底部整列ラインを有し、該行におけるそれぞれのキーは、該上部ラインと該底部ラインとの間の領域において少なくとも部分的に配置され、該複数のキーは、ＡからＺの文字、０から９の数字、および少なくとも一つの機能に対応する印に関連する、複数のキーを備えるキーボードであって、
該複数のキーのうちの少なくとも一つのキーが、該個々の行に対する、該上部ラインと該底部ラインとの間の該領域の外側に延びている、キーボード。
【請求項１４】
前記複数の行が底部の行を含み、前記上部ラインと前記底部ラインとの間の前記領域の外側に延びている前記少なくとも一つのキーが該底部の行に配置される、請求項１３に記載のキーボード。
【請求項１５】
前記上部ラインと前記底部ラインとの間の前記領域の外側に延びている前記少なくとも一つのキーが、該少なくとも一つのキーが配置されている前記個々の行における任意の他のキーの高さよりも高い高さを有する、請求項１３に記載のキーボード。
【請求項１６】
前記上部ラインと前記底部ラインとの間の前記領域の外側に延びている前記少なくとも一つのキーが、前記グリッドパターンの底部の行にあり、該行の中央に配置される、請求項１５に記載のキーボード。
【請求項１７】
前記上部ラインと前記底部ラインとの間の前記領域の外側に延びている前記少なくとも一つのキーが、スペース機能に関連される、請求項１６に記載のキーボード。
【請求項１８】
前記上部ラインと前記底部ラインとの間の前記領域の外側に延びている前記少なくとも一つのキーが、少なくとも一つの数字にさらに関連される、請求項１７に記載のキーボード。
【発明の詳細な説明】
【技術分野】
【０００１】
本技術は、電子装置用のキーボード配置に関する。本技術は特に、携帯式移動通信装置用のキーボード配置に関連する。
【背景技術】
【０００２】
いくつかの異なるキーボード配置が知られている。もっとも広く使用されている英語アルファベットキー配置は、図１および図５に示すＱＷＥＲＴＹ配置である。他の英語アルファベットキー配置には、図２に示すＱＷＥＲＴＺ配置、図３に示すＡＺＥＲＴＹ配置、また図４に示すＤＶＯＲＡＫ配置がある。アルファベットキー配置４４は、広く数字キー配置と共に提供される。典型的なキー配置を図１から４に示すが、そこでは数字１から９と０がアルファベットキーの上に位置する。他の既知の数字キー配置では、数字がアルファベット文字のキーを共有する、例えばＱＷＥＲＴＹキーボードの最上行のようにである。図５には他の典型的な数字キー配置を示すが、そこでは数字キーパッド４６は、アルファベット・数字キー配置から離れている。この数字キーパッド４６には、最上行に数字「７」、「８」および「９」が位置され、第２行には「４」、「５」および「６」が配置され、第３行には「１」、「２」および「３」が配置され、そして「０」が底部の行に配置され、既知のコンピュータのキーボードキーパッドに見られるものと一致している。
【０００３】
図６に示すような電話の数字キー配置４２も知られている。電話キーパッドには、図７に示すように数字キーを付加するか、これと一致するアルファベットキー配置を含むことが多い。このような英数字併用の電話キーパッドは、携帯送受話器のような伝統的手持ち式移動通信装置に多く用いられている。１つの規格制定団体である国際電気通信ユニオン（「ＩＴＵ」）は、英数字併用のキーの配置について電話規格を制定している。図６および７に示す標準電話数字キー配置は、「Ａｒｒａｇｅｍｅｎｔ  ｏｆ  Ｄｉｇｉｔｓ，Ｌｅｔｔｅｒｓ，ａｎｄ  Ｓｉｍｂｏｌｓ  ｏｎ  Ｔｅｌｅｐｈｏｎｅｓ  ａｎｄ  Ｏｔｈｅｒ  Ｄｅｖｉｃｅｓ  Ｔｈａｔ  Ｃａｎ  Ｂｅ  Ｕｓｅｄ  ｆｏｒ  Ｇａｉｎｉｎｇ  Ａｃｃｅｓｓ  ｔｏ  ａ  Ｔｅｌｅｐｈｏｎｅ  Ｎｅｔｗｏｒｋ」のタイトルのＩＴＵ規格Ｅ．１６１に対応する。また本規格は、ＡＮＳＩ  ＴＩ．７０３−１９９５／１９９９およびＩＳＯ／ＩＥＣ  ９９９５−８：１９９４として知られる。
【０００４】
組合せ、テキスト入力キーボードや電話方式キーボードを含む移動式通信装置も知られている。この移動式通信装置には、移動局、携帯電話、無線パーソナルディジタルアシスタント（ＰＤＡ）、２方向呼出装置、その他がある。伝統的形態のテキスト入力キーボード（即ちＱＷＥＲＴＹ形態のキーボード）を、伝統的形態の電話方式キーボードと同一移動式通信装置内で組合せることは、好ましくない人間工学的および／または直感的なユーザーインターフェイスとの妥協を明らかに含んでいる。
【０００５】
組合せアルファベット・数字キーボードを内蔵する従来技術装置の１つは、図８に示すＲＩＭ  ＢＬＡＣＫＢＥＲＲＹ  ９５０移動式通信装置である。この装置では、数字文字がＱＷＥＲＴＹボードの最上行でアルファベット文字とキーを共用している。組合せアルファベット・数字キーボードを内蔵する他の従来装置は、図９に示すＲＩＭ  ＢＬＡＣＫＢＥＲＲＹ  ６２１０移動式通信装置である。この装置は上記のＩＴＵ規格Ｅ．１６１に一致する電話の数字キー配置中の数字文字を利用している。この数字文字は、キーボードの左側のアルファベット文字とキーを共用している。
【０００６】
キー配置付のキーボードアセンブリを有する移動式通信装置の一例は、米国特許出願番号０９／９６７，５３６および１０／３０２，２４２、および米国特許番号６，２７８，４４２に記載されているが、その開示内容をその全体にわたり参照として援用する。
【０００７】
Ｋａｔｏ他の特許文献１およびＫａｔｏ他の特許文献２は、タッチスクリーンキーボード上で縮小（ｒｅｄｕｃｅｄ）ＱＷＥＲＴＹ配置を利用するスクリーン表示キー入力ユニットの形式のデーター入力装置を伝授する。数字はアルファベットキーの選択可能な数字の上に付加する。キーの選択は表示画面をペンで触るか、またはマウスを利用する。
【０００８】
現在の移動式通信装置は予想テキスト技術を利用し、一般的なスペルのエラーを訂正し、且つキー入力に基づく望まれるワードを予測する。予測テキスト方法論には、命令発行遅延エンジン、および／または予測編集アプリケーションがよく含まれる。米国および外国の多くの特許は予測テキスト処理について論じているが、これは以下を含む：米国特許番号５，８１８，４３７、５，９５２，９４２、６，００２，３９０、６，２２３，０５９、６，２３１，２５２および６，３０７，５４８、ＷＯ６２１５０Ａ１；  ＷＯ９９５９３１０Ａ２；  ＷＯ０３４４６５０Ａ２；  ＥＰ１０３５７１２Ｂ１；  ＥＰ１２９６２１Ａ１；  ＥＰ１３７８８１７Ａ１；  ＥＰ１３４７３６２Ａ１；  およびＥＰ１３４７３６１Ａ１で、その公開全体は参照のためここに包含する。移動式通信装置メーカーの数社は、予測テキスト技術を利用しているが、これにはＲＩＭ、Ｔｅｇｉｃ、Ｍｏｔｏｒｏｌａ、Ｎｏｋｉａ、Ｓｏｎｙ、およびＮＥＣ、その他が含まれる。
【特許文献１】米国特許第６，２９５，０５２号明細書
【特許文献２】国際公開第０２／０８８９２０Ａ１号パンフレット
【発明の開示】
【課題を解決するための手段】
【０００９】
本明細書に記載の教示による物理キーボードは、ＡからＺの文字のＱＷＥＲＴＹ配列に対応するアルファベット文字と、付加された（ｏｖｅｒｌａｉｄ）電話の数字キー配置とに関連するキーを含む、複数のキーおよび対応する印を備える。アルファベット文字および／または数字を備える複数のキーは、２６より少ない。
【００１０】
一実施形態では、アルファベットおよび数字からなるキーの数は１４である。この実施形態にあっては、他の機能キーを含む合計キー数は２０である。この複数のキーは４行および５列とすることが可能で、４行は第１、第２、第３および第４行を順番に含み、また５列は第１、第２、第３、第４および第５列を順番に含む。ＱＷＥＲＴＹ文字配列は４行中の３行に関連し、また電話の数字キー配置は、前記４行のそれぞれと関連する。この電話の数字キー配置は５列中の３列と関連する。具体的には、この電話の数字キー配置は、第２、第３および第４列と関連する。あるいはこの電話の数字キー配置は、第１、第２、第３および第４行中のキーに関連づけられる。第１行のキーは第２列中に数字「１」を含み、第３列中に数字「２」を含み、また第４列中には数字「３」を含む。第２行中のキーと関連する電話の数字キーは、第２列に数字「４」を含み、第３列に数字「５」を含み、また第４列に数字「６」を含む。第３行中のキーと関連する電話の数字キーは、第２列に数字「７」を含み、第３列に数字「８」を含み、また第４列に数字「９」を含む。第４行のキーと関連する電話の数字キーは、第２列に「＊」を、第３列に数字「０」を、また第４列に「＃」を含むことができる。
【００１１】
またこの物理キーボードは、複数のキーの少なくとも１つと関連する機能を含むことができる。第４行のキーには、第１列に「ａｌｔ」機能を、第２列に「ｎｅｘｔ」機能を、第３列に「ｓｐａｃｅ」機能を、第４列に「ｓｈｉｆｔ」機能を、そして第５列に「ｒｅｔｕｒｎ／ｅｎｔｅｒ」機能を含ませることができる。
【００１２】
５つのキーの第１行には、「ＱＷ」、「ＥＲ」、「ＴＹ」、「ＵＩ」および「ＯＰ」の文字に順番に対応するキーを含ませることができる。５つのキーの第２行には、「ＡＳ」、「ＤＦ」、「ＧＨ」、「ＪＫ」および「Ｌ」の文字に順番に対応するキーを含ませることができる。５つのキーの第３行には、「ＺＸ」、「ＣＶ」、「ＢＮ」、および「Ｍ」の文字に順番に対応するキーを含ませることができる。
【００１３】
他の実施形態では、５つのキーの第１行には、「ＱＷ」、「ＥＲ」、「ＴＹ」、「ＵＩ」および「ＯＰ」の文字に順番に対応するキーを含ませることができる。５つのキーの第２行には、「ＡＳ」、「ＤＦ」、「ＧＨ」、および「ＪＫＬ」の文字に順番に対応するキーを含ませることができる。５つのキーの第３行には、「ＺＸＣ」、「ＶＢ」、および「ＮＭ」の文字に順番に対応するキーを含ませることができる。
【００１４】
さらに他の実施形態では、５つのキーの第１行には、「ＱＷ」、「ＥＲ」、「ＴＹ」、「ＵＩ」および「ＯＰ」の文字に順番に対応するキーを含ませることができる。５つのキーの第２行には、「ＡＳ」、「ＤＦ」、「ＧＨ」、「ＪＫ」および「Ｌ」の文字に順番に対応するキーを含ませることができ、また５つのキーの第３行には、「Ｚ」、「ＸＣ」「ＶＢ」、および「ＮＭ」の文字に順番に対応するキーを含ませることができる。
【００１５】
物理キーボード上の複数のキーの１つは、リターン／エンター機能と関連する「ｒｅｔｕｒｎ／ｅｎｔｅｒ」キーである。この「ｒｅｔｕｒｎ／ｅｎｔｅｒ」キーは第５列に位置させることができる。
【００１６】
一実施形態では、５つのキーの第１行に、「ＱＷ」、「ＥＲ」、「ＴＹ」、「ＵＩ」および「ＯＰ」の文字に順番に対応するキーを含ませることができる。５つのキーの第２行には、「ＡＳ」、「ＤＦ」、「ＧＨ」、「ＪＫ」および「Ｌ」の文字に順番に対応するキーを含ませることができ、また５つのキーの第３行には、「ＺＸ」、「ＣＶ」、「ＢＮ」、および「Ｍ」の文字に順番に対応するキーを含ませることができる。
【００１７】
複数のキーは複数の行および複数の列に整列させてキーのグリッドを形成することができる。また、一実施形態では、列と行のうちの少なくとも１つが一直線となる。他の実施形態では、１つまたはそれ以上の行と列が非直線的である。
【００１８】
複数のキーは、できれば１つの型（ｓｈａｐｅ）をとることが望ましい。その型は均一であっても不均一でもよい。一実施形態では、複数のキーは長方形である。他の実施形態では、キーは楕円形である。さらに他の実施形態では、キーは多角形である。
【００１９】
物理キーボードのもう一実施形態では、キーの数は２４で、複数のキーは、第１、第２、第３および第４行を含み、第１、第２、第３、第４、第５、第６および第７列を有し、第１行は７つのキー、第２行は７つのキー、第３行は７つのキー、第４行は３つのキーを含んでいる。第４行の３つのキーは第３、第４および第５列に位置させることができる。
【００２０】
７つのキーの第１行には、「Ｑ」、「Ｗ」「ＥＲ」、「ＴＹ」、「ＵＩ」「Ｏ」および「Ｐ」の文字に順番に対応するキーを含ませることができる。７つのキーの第２行には、「Ａ」、「Ｓ」、「ＤＦ」、「ＧＨ」、「ＪＫ」および「Ｌ」の文字を、また７つのキーの第３行には、「Ｚ」、「ＸＣ」、「ＶＢ」、および「ＮＭ」の文字に順番に対応するキーを含ませることができる。この電話の数字キー配置は、第１、第２、第３および第４列のキーと関連し、第１行のキーは第３列中に数字「１」を含み、第４列中に数字「２」を含み、また第５列中には数字「３」を含む。第２行中のキーと関連する電話の数字キーは、第３列に数字「４」を含み、第４列に数字「５」を含み、また第５列に数字「６」を含む。第３行中のキーと関連する電話の数字キーは、第３列に数字「７」を含み、第４列に数字「８」を含み、また第５列に数字「９」を含む。第４行のキーと関連する電話の数字キーは、第３列に「＊」を、第４列に数字「０」を、また第５列に「＃」を含むことができる。
【００２１】
さらに他の実施形態では、複数のキーは４つのキー行と６つのキー列を含み、４つの行は第１、第２、および第３列、また６つのキー列は第１、第２、第３、第４、第５および第６列を含む。この電話の数字キー配置は第１、第２、第３、および第４行と関連させても良い。
【００２２】
６つのキーの第１行に、「ＱＷ」、「Ｅ」、「ＲＴ」、「ＹＵ」、「Ｉ」および「ＯＰ」の文字に順番に対応するキーを含ませることができる。６つのキーの第２行には、「ＡＳ」、「Ｄ」、「ＦＧ」、「ＨＪ」「Ｋ」および「Ｌ」の文字に順番に対応するキーを含ませることができる。６つのキーの第３行には、「ＺＸ」、「Ｃ」、「Ｖ」、「ＢＮ」、および「Ｍ」の文字に順番に対応するキーを含ませることができる。電話の数字キーは第１行に数字「４」を第１列に、第２列に数字「２」を、また第３列に数字「３」を含ませることができる。第２行中のキーと関連する電話の数字キーは、第１列に数字「４」を、第２列に数字「５」を、また第３列に数字「６」を含ませることができる。第３行中のキーと関連する電話の数字キーは、第１列に数字「７」を含み、第２列に数字「８」を、また第３列に数字「９」を含ませることができる。第４行は第１から第６列までと整列されていない５つのキーを含ませられる。第４行のキーは、第１、第２、第３、第４および第５のキーを含み、第４行の第２キーは電話の数字キー配置の「０」を含む。
【００２３】
代替の実施形態では、この電話の数字キー配置は、第２、第３および第４列、また第１、第２、第３および第４行と関連している。６つのキーの第１行に、「ＱＷ」、「Ｅ」、「ＲＴ」、「ＹＵ」、「Ｉ」および「ＯＰ」の文字に順番に対応するキーを含ませることができる。６つのキーの第２行には、「ＡＳ」、「Ｄ」、「ＦＧ」、「ＨＪ」および「ＫＬ」の文字に順番に対応するキーを含ませることができる。６つのキーの第３行には、「ＺＸ」、「ＣＶ」、「ＢＮ」、および「Ｍ」の文字に順番に対応するキーを含ませることができる。電話の数字配置は第１行の第２列に数字「１」を、第３列に数字「２」を、また第４列に数字「３」を含ませることができる。第２行中のキーと関連する電話の数字キーは、第２列に数字「４」を、第３列に数字「５」を、また第４列に数字「６」を含ませることができる。第３行中のキーと関連する電話の数字キーは、第２列に数字「７」を、第３列に数字「８」を、また第４列に数字「９」を含ませることができる。第４行は第１から第６列まで非整列の３つのキーを含むことができる。第４行のキーは、第１、第２および第３キーを含むことが可能で、「＊」を含む第４行の第１キー、「０」を含む第４行の第２キー、および「＃」を含む第４行の第３キーを含むことができる。
【００２４】
他の実施形態では、複数のキーは４行および４列のキーを含み、第４行は第１、第２、第３および第４行を含み、また第４列は第１、第２、第３、および第４列を含む。本実施形態では、電話の数字キー配置は、第１、第２、および第３列と関連し、また第１、第２、第３および第４行と関連する。第１行は「ＱＷＥ」、「ＲＴ」、「ＹＵ」、および「ＩＯＰ」の文字に順番に対応する４つのキーを含む。第２行は、「ＡＳＤ」、「ＦＧＨ」および「ＪＫＬ」の文字に順番に対応する４つのキーを含む。第３行には、「ＺＸＣ」、「ＶＢ」、および「ＮＭ」の文字に順番に対応する４つのキーを含む。前記電話の数字キー配置は第１行で、第１列に数字「１」のキーを含み、第２列に数字「２」のキーを含み、且つ第３列に数字「３」のキーを含む。前記電話の数字キー配置は第２行で、第１列に数字「４」のキーを含み、第２列に数字「５」のキーを含み、且つ第３列に数字「６」のキーを含む。前記電話の数字キー配置は第３行で、第１列に数字「７」のキーを含み、第２列に数字「８」のキーを含み、且つ第３列に数字「９」のキーを含む。第４行は４つのキーを含み、また電話の数字キー配置は第４行で、第１列に「＊」のキーを含み、第２列に「０」のキーを含み、且つ第３列に「＃」のキーを含む。第２行の第４キーは、「ｂａｃｋｓｐａｃｅ」機能と関連させることができる。第３行の第４キーは、「ｒｅｔｕｒｎ／ｅｎｔｅｒ」機能と関連させることができる。第４行の第１キーは「ＴＸＴ」機能と関連させることができる。第４行の第２キーは「ｓｐａｃｅ」機能と関連させることができる。第４行の第３キーは「ｓｈｉｆｔ」機能と関連させることができ、また第４行の第４キーは「ａｌｔ」機能と関連させることができる。
【００２５】
さらに他の実施形態では、その物理キーボードは４行のキーを含み、キーの第１行は第１のキー数を含み、キーの第２行には、第１のキー数から１つのキー数を引いたキー数を含み、キーの第３行は第１のキー数から２つのキー数を引いたキー数を含み、またキーの第４行は第１のキー数から３つのキー数を引いたキー数を含む。複数のキーは中央線の回りに対称的に配置できる。
【００２６】
他の実施形態でも、その物理キーボードは４行のキーを含み、第１行のキーは第１のキー数を含み、第２行のキーは第１行より少ないキーを含み、第３行のキーは第２行より少ないキーを含み、且つ第４行のキーは第３行より少ないキーを含む。複数のキーは中央線の回りに対称的に配置できる。
【００２７】
物理キーボードと関連する印は、アルファベット印と数字印とを含むことが可能で、アルファベット印を第１の色とし、また数字印を第２の色とすることができる。第１の色と第２の色は同一でも、異なってもよい。アルファベット印および／または数字印は、複数のキー上に位置できる。アルファベット印と数字印にはフォントおよびフォントサイズがある。アルファベット印のフォントサイズは、数字印のフォントサイズと同一でも異なってもよい。アルファベット印のフォントは、数字印のフォントと同一でも異なってもよい。アルファベット印のフォントサイズは数字印のフォントサイズの約３分の１でよい。他の実施形態では、数字印のフォントサイズは１０ｍｍである。
【００２８】
キーボードには、タッチ確認部が突起またはくぼみの形状で含まれており、１つのキーと関連している。一実施形態では、この確認部分は、数字の「５」と関連するキー上にある。
【００２９】
物理キーボードの他の実施形態では、キーボードは複数の多機能キーを含み、また対応する印は、ＡからＺの文字のＱＷＥＲＴＹ列に対応するアルファベット文字と関連するキーを含む。複数のキーは電話の数字キー配置で付加される。電話の数字キー配置は、複数のキーのサブセットに関連し、またキーのサブセットは中央線の周囲で対称的に配置される。
【００３０】
複数のキーは列と列に配置可能で、電話の数字キー配置の「１」、「２」、および「３」は第１行のキーと関連しており、電話の数字キー配置の「４」、「５」、および「６」は第２行のキーと関連しており、また電話の数字キー配置の「７」、「８」、および「９」は第３行のキーと関連している。電話の数字キー配置の「０」は、第４行のキーと関連しており、またこの「０」キーは、この電話の数字キー配置の残りの部分の下部にある。また複数のキーは、この複数のキーの１つと関連する「＊」を含むことができ、また複数のキーの１つと関連する「＃」を含むことができる。この「＊」キーは「０」キーの側面に直接隣接し、また「＃」のキーは「０」キーの他の側に直接隣接する。
【００３１】
他の実施形態であっても、物理キーボード配置は、電話の数字キー配列に付加されている縮小列のＡからＺの文字のＱＷＥＲＴＹ配列からなる。この電話の数字キー配列は少なくとも数字を含む。この電話の数字キー配列は記号を含むこともできる。
【００３２】
さらに他の実施形態では、物理キーボードは、複数の多機能キーおよび対応する印を含み、縮小列のＱＷＥＲＴＹアルファベットキー配置を含む。複数のキーには電話の数字キー配置が付加される。列の数には奇数が使用可能で、またこの電話の数字キー配置はその列の中央上部に位置させることができる。好適な実施形態では、列数は５列でまたその物理キーボード配置は、さらに４つの行を含み、４行中の３つのキーを利用するＱＷＥＲＴＹキー配置、および第４行のそれぞれのキーを利用する電話の数字キー配置を含む。
【００３３】
さらに他の実施形態では、物理キーボードは、ＡからＺの文字のＱＷＥＲＴＹ配列に対応するアルファベット文字み関連するキーを含む、複数の多機能キーおよび対応する印を備える。複数のキーは７列に位置し、第１、第２、第３、第４、第５、第６および第７の列を含み、また少なくとも３つの行は、第１、第２、および第３の行を含んでいる。
【００３４】
第１行には、７つのキーを含ませることが可能で、「ＱＷ」、「Ｅ」、「Ｒ」、「ＴＹ」、「Ｕ」、および「ＯＰ」の文字に順番に対応するキーを含ませることができる。第２行には、「Ａ」、「Ｓ」、「ＤＦ」、「Ｇ」、「Ｈ」「ＪＫ」および「Ｌ」の文字に順番に対応するキーを含ませることができる。第３行には、「ＺＸ」、「Ｃ」、「ＶＢ」、「Ｎ」、および「Ｍ」の文字に順番に対応するキーを含ませることができる。この物理キーボードは、さらに少なくとも５つのキーを有する第４のキー行を含む。少なくとも５つのキーは「ｎｅｘｔ」、「ｓｈｉｆｔ」、「ｓｐａｃｅ」、「ｓｈｉｆｔ」、および「ｅｎｔｅｒ」機能と関連する。
【００３５】
７つのキーの第１行に、「ＱＷ」、「Ｅ」、「Ｒ」、「ＴＹ」、「Ｕ」、「Ｉ」および「ＯＰ」の文字に順番に対応するキーを含ませることができる。７つのキーの第２行には、「Ａ」、「Ｓ」、「ＤＦ」、「ＧＨ」、「ＪＫ」、および「Ｌ」の文字に順番に対応するキーを含ませることができる。７つのキーの第３行には、「ＺＸ」、「Ｃ」、「ＶＢ」、「Ｎ」、および「Ｍ」の文字に順番に対応するキーを含ませることができる。
【００３６】
この物理キーボードは、ＱＷＥＲＴＹ配列に付加されている電話の数字キー配置を有する第４行を含むことができる。一実施形態では、この電話の数字キー配置が、第３、第４、および第５列と関連する。他の実施形態では、この電話の数字キー配置が、第１、第２、および第３列と関連する。さらに他の実施形態では、この電話の数字キー配置が、第２、第３、および第４列と関連する。
【００３７】
他の実施形態では、携帯式移動局は、ハウジングと、ディスプレイと、関連するキーセットを有する第１のユーザーインターフェイス、および関連するキーセットを有する第２のユーザーインターフェイスを備える物理キーボードとを備える。第２のユーザーインターフェイス用のキーセットのサブセットは、第１のユーザーインターフェイス用のキーセットのサブセットである。この第１のユーザーインターフェイスは、ＱＷＥＲＴＹ、ＱＷＥＲＴＺ、ＡＺＥＲＴＹ、またはＤＶＯＲＡＫからなるグループより選択される。第２のユーザーインターフェイスは、電話の数字キー配置である。第１のユーザーインターフェイス用のキーセットは、２６キーより少ないキーを含む。
【００３８】
第２のユーザーインターフェイスは、その携帯式移動局の表面の中央に置くことができる。あるいは、第２のユーザーインターフェイスを、その携帯式移動局の表面の実質的に左側に位置させることができる。また第２のユーザーインターフェイスは、その携帯式移動局の表面の実質的に右側に位置させることができる。
【００３９】
第２のユーザーインターフェイス用の「０」印は、第１のユーザーインターフェイスと関連するスペースバーを表すキー上に提供されてもよい。第１のユーザーインターフェイスと関連する印が第１のユーザーインターフェイス用のキーセット上に提供され、また第２のユーザーインターフェイスと関連する印がハウジング上に提供されてもよい。あるいは、第１のユーザーインターフェイスと関連する印が第１のユーザーインターフェイス用のキーセット上に提供され、また第２のユーザーインターフェイスと関連する印が該第２のユーザーインターフェイスのキーセット上に提供されてもよい。
【００４０】
このハウジング前表面の第１の区域には、第２のユーザーインターフェイス用のキーセットの近くの領域の内部、および周辺に第１の色を有することできる。この第１の色は、第１の区域の少なくとも１部分に連続する前表面の第２の区域の第２の色と異なってよい。キーセット上の第１の色と第２の色は、第１のユーザーインターフェイスと関連させることができる。第１の色はキーセットの頭部部分を占有してよく、また第２の色はキーセットの底部部分を占有してよい。第２の色は第１のユーザーインターフェイス用のキーセットと関連できる。
【００４１】
この物理キーボードの他の実施形態では、複数のキーは１つ以上の印を各キー上に有し、その複数のキーはその物理キーボード上に、少なくとも第１のユーザーインターフェイスを形成する。この第１のユーザーインターフェイスのキーと印は、ＱＷＥＲＴＹアルファベット構成を形成するよう配置され、第１のユーザーインターフェイスの大部分のキーは、１つのキーに１つより多いアルファベット文字を表す。この物理キーボードも複数のキーのサブセットを含み、そのサブセットは、数字０から９を表す符合を保有する。このサブセットは、その物理キーボード上の電話の数字キーパッド配置中に、第２のユーザーインターフェイスを形成する。数字を表す符合のサイズは、キーのサブセット上のどのアルファベット印より大きい。キーのサブセットは、記号「＊」および「＃」を更に含む。
【００４２】
さらに他の実施形態では、物理キーボードは各キー上に１つ以上の印を保有する複数のキーを含む。この複数のキーは、その物理キーボード上に、少なくとも第１のインターフェイスを形成する。この第１のインターフェイスのキーおよび印は、ＱＷＥＲＴＹアルファベット構成を形成するよう配置され、第１のユーザーインターフェイスの大部分のキーは、１つのキーに１つより多いアルファベット文字を表す。この物理キーボード上のこの複数のキーは、２６キー未満である。この物理キーボードは、複数のキーのサブセットをさらに含む。そのサブセットの各キーは、電話の数字キーパッド配置からの文字を表す。このサブセットは、第２のユーザーインターフェイスを形成し、その物理キーボード上に電話の数字キーパッドとして配置される。電話の数字キーパッド配置の文字は、「０」、「１」、「２」、「３」、「４」、「５」、「６」、「７」、「８」、「９」、「＊」および「＃」からなる群から選択される。
【００４３】
更に他の実施形態では、物理キーボードは、ＡからＺの文字のＱＷＥＲＴＹ配列に対応するアルファベット文字に関連するキーと、付加された数字０から９までの数字キー配列と、「ｓｐａｃｅ」機能とを含む、複数の多機能キーおよび対応する印を備える。この数字「０」と「ｓｐａｃｅ」機能は同一のキーに関連する。
【００４４】
数字キー配列が、電話の数字キー配置に指向され得る。複数のキーが、少なくとも４行および少なくとも４列に配置され得、複数のキーの少なくとも一部が、１つより多いアルファベット文字と関連している。
【００４５】
更に他の実施形態では、物理キーボードは、ＡからＺの文字のＱＷＥＲＴＹ配列に対応するアルファベット文字に関連するキーと、付加された数字０から９までの数字キー配列とを含む、複数の多機能キーおよび対応する印を備える。この付加された数字キー配列は１０キーより多くのキーを含み、少なくとも１つの数字が２つ以上のキーと関連するようになっている。
【００４６】
このアルファベット文字は、それぞれ単一のキー上に位置され、またアルファベット文字に利用されるキーの数は２６である。あるいは、アルファベット文字に利用されるキーの数を２６未満にして、そのアルファベット文字の少なくとも２つを、単一のキーと関連させることもできる。
【００４７】
この数字キーは、数字「１」に関連する少なくとも２つのキー、数字「３」に関連する少なくとも２つのキー、数字「４」に関連する少なくとも２つのキー、数字「６」に関連する少なくとも２つのキー、数字「７」に関連する少なくとも２つのキー、および数字「９」に関連する少なくとも２つのキーを含んでいる。さらにこの数字キーは、数字「２」に関連する少なくとも２つのキー、数字「５」に関連する少なくとも２つのキー、および数字「８」に関連する少なくとも２つのキーも含んでいる。
【００４８】
他の実施形態では、物理キーボードは、ＡからＺのアルファベット文字を含むアルファベットキー配列と、前記アルファベットキー配列に付加された数字０から９までの数字を含む数字キー配列とを備える、複数の多機能キーを備える。アルファベットおよび数字は、複数のキーの少なくともいくつかを共有する。複数のキーは複数の行と複数の列に配置され、それぞれが列幅を有する。数字キーはお互いに少なくとも１列のスペースをとっている。
【００４９】
他の実施形態では、物理キーボードは、ＡからＺの文字のＱＷＥＲＴＹ配列に対応するアルファベット文字に関連するキーと、付加された電話の数字キー配置とを含む、複数の多機能キーおよび対応する印を備える。この電話の数字キー配置は、アルファベット文字と関連するキーの中央に位置する。この複数のキーは行と列中に配置され、アルファベット文字は第１行、第２行、および第３行と関連しており、また数字は第１行、第２行、第３行および第４行と関連しており、「１」、「２」、および「３」は第１行と関連し、「４」、「５」、および「６」は第２行と関連し、また「７」、「８」および「９」は第３行と関連している。「０」は第４行と関連し、また第１、第２、および第３行の数字キーの下部の中央に位置する。
【００５０】
表面を有する移動式通信装置は、上記の物理キーボードを利用できる。この物理キーボードはその表面と関連し、またキーの数字配列は、その装置の表面上に対称的に位置する。
【００５１】
他の実施形態では、物理キーボードは、ＡからＺの文字の縮小ＱＷＥＲＴＹ配列に対応するアルファベット文字に関連するキーと、電話の数字キー配置に対応する複数のキーのサブセットとを含む、複数の多機能キーおよび対応する印を備える。この電話の数字キー配置は、そのキーボード上で、キーのサブセットが共通の中央線に関して対称的となるよう指向されている（ｏｒｉｅｎｔｅｄ）。
【００５２】
さらに他の実施形態では、物理キーボードは、ＡからＺの文字のＱＷＥＲＴＹ配列に対応するアルファベット文字に関連するキーと、電話の数字キー配置に対応する複数のキーのサブセットとを含む、複数の多機能キーおよび対応する印を備える。この複数のキーは第１、第２、第３、および第４行、且つ複数の列に配置される。キーのサブセットは第１行のキーと関連する「１」、「２」、および「３」、第２行のキーと関連する「４」、「５」、および「６」、および第３行のキーと関連する「７」、「８」、および「９」、また第４行と関連する「０」を含む。さらに「１」、「４」、および「７」が第１列に整列され、「２」、「５」、「８」、および「０」が第２列に整列され、また「３」、「６」および「９」が第３列に整列される。「０」と関連するキーは、電話の数字キー１から９のキー配置の下部中央に位置する。
【００５３】
第１、第２、および第３列が複数の列のサブセットとなり、また第１、第２、および第３列は、複数の列中で中央に位置する。替わりに第１、第２、および第３列が複数の列のサブセットとなり、また第１、第２、および第３列は、複数の列中で中央に位置しない。
【００５４】
他の実施形態では、物理キーボードは、ＡからＺの文字のＱＷＥＲＴＹ配列に対応するアルファベット文字に関連するキーと、数字配列の０から９、「＊」、および「＃」に対応する複数のキーのサブセットとを含む、複数の多機能キーおよび対応する印を備える。「０」と関連するキーは、「＊」と関連するキー、および「＃」と関連するキーの間に位置する。この複数のキーは行と列を含み、また「＊」、「０」、および「＃」と関連するキーはすべて同一の行に位置する。「＊」と関連するキーは、「０」と関連するキーの左側に隣接し、また「＃」と関連するキーは、「０」と関連するキーの右側に隣接して位置させられる。
【００５５】
さらに他の実施形態では、その物理キーボードは、ＡからＺの文字のＱＷＥＲＴＹ配列に対応するアルファベット文字に関連するキーと、０から９の数字配列に対応する複数のキーの第１のサブセットと、記号「＊」および「＃」に対応する複数のキーの第２のサブセットとを含む、複数の多機能キーおよび対応する印を備える。キーの第１のサブセットと第２のサブセットは重複しない。
【００５６】
上記の物理キーボードや物理キーボード配置は、携帯式移動通信装置、および移動通信装置で、他の装置の中で、電話方式モードおよびテキスト入力モードを有する装置に使用可能である。
【００５７】
さらに他の実施形態では、上記の物理キーボードを有する移動通信装置を動作する方法は、片手の指でキーを打ち数字を移動通信装置に入力するステップと、両手の指でキーを打ち文字を移動通信装置に入力するステップとを含む。この方法には、片手の指でキーを打ち機能コマンドおよび記号を入力するステップと、両手の指でキーを打ち機能コマンドおよび記号を入力するステップもある。
【００５８】
さらなる実施形態において、キーボードは、ＡからＺの文字の標準キーボードのレイアウト配列に対応するアルファベット文字と、０から９の数に対応する、付加された電話の数字キー配置とに関連するキーを含む、複数のキーおよび対応する印を備える。アルファベット文字と関連する該複数のキーが、２６よりも少ない。付け加えて、該キーボードは、スペースキーを備える少なくとも一つのファンクションキーをさらに備え、該スペースキーが、該複数のキーのうちの残りのキーの高さよりも高い高さを有する。
【００５９】
該スペースキーが、キーの行に配置され得、該キーの行にある残りのキーの下に延びている。一実施形態において、複数のキーが、複数の列および行を有するグリッドパターンに配置され、該スペースキーがキーの底の行に配置され、該底の行ににある残りのキーの下に延びている。該スペースキーが、キーの前記底の行の中央に配置され得る。該スペースキーが０の数字を有するキーを共有し得る。該スペースキーが、ユーザがタッチに利用する指によって接触されるように構成される。該標準キーボードレイアウトが、ＱＷＥＲＴＹ、ＱＷＥＲＴＺ、ＡＺＥＲＴＹ、およびＤＶＯＲＡＫのうちの一つを備える。
【００６０】
別の実施形態において、キーボードは、底の行を含む複数の行を有するグリッドパターンにおいて配置される複数のキーを備える。該複数のキーが、ＡからＺの文字、０から９の数字、および少なくとも一つの機能に対応する印に関連される。該底の行に配置された複数のキーが上部整列ラインおよび底部整列ラインを有し、一つの領域が該上部整列ラインと該底部整列ラインとの間に置かれる。該キーの少なくとも一つが、該上部整列ラインと該底部ラインのと配置の間の該領域の外側に延びる、伸長キーを備える。
【００６１】
該伸長キーが前記底部整列ラインの下に延び得る。該伸長キーがキーの個々の行の中央に配置され得る。該少なくとも一つの機能がスペース機能を含み、前記伸長キーが該スペース機能に関連する単一のキーを含み得る。該伸長キーが、数字の「０」にさらに関連し得る。
【００６２】
さらなる実施形態において、キーボードは、複数の行を有するグリッドパターンにおいて配置される複数のキーを備え、該行の各々は、上部整列ラインおよび底部整列ラインを有し、該行におけるそれぞれのキーは、該上部ラインと該底部ラインとの間の領域において少なくとも部分的に配置される。該複数のキーは、ＡからＺの文字、０から９の数字、および少なくとも一つの機能に対応する印に関連される。該複数のキーのうちの少なくとも一つのキーが、該個々の行に対する、該上部ラインと該底部ラインとの間の該領域の外側に延びている。
【００６３】
該複数の行が底部の行を含み得、該上部ラインと該底部ラインとの間の該領域の外側に延びている前記少なくとも一つのキーが該底部の行に配置され得る。該上部ラインと該底部ラインとの間の該領域の外側に延びている該少なくとも一つのキーが、該少なくとも一つのキーが配置されている前記個々の行における任意の他のキーの高さよりも高い高さを有し得る。該上部ラインと該底部ラインとの間の該領域の外側に延びている該少なくとも一つのキーが、該グリッドパターンの底部の行にあり、該行の中央に配置され得る。該上部ラインと該底部ラインとの間の該領域の外側に延びている該少なくとも一つのキーが、スペース機能に関連され得る。該上部ラインと該底部ラインとの間の該領域の外側に延びている該少なくとも一つのキーが、少なくとも一つの数字にさらに関連され得る。
【発明を実施するための最良の形態】
【００６４】
いま図面について参照すると、図１０から２０、２８、および５４は、一例のキーボード１４を有する移動通信装置１０の各種の外観を含む。このキーボード１４は物理キーボードで、複数の多機能キーを含むものである。これらのキーは多機能であり、アルファベット文字、数字、タッチトーン、記号、及び（または）機能、または他の既知の入力に使用される。本キーボードは、可動キーを利用しないタッチスクリーンタイプキーボードではなく、移動可能なキーを利用するという意味で、物理キーボードである。好適な実施形態では、これらのキーは可動で、これらのキーの下にあるスイッチを活性化する。
【００６５】
例としての物理キーボード１４は、テキスト入力および電話入力に使用可能で、またコンピュータやタイプライタキーボードに使用され、タッチトーン電話や携帯電話に使用されるキーパッド付の周知のキーボードと単一の配置に融合するよう意図されている。この例示物理キーボードは、本融合によってユーザーと直ちに親密となるよう設計されている。このキーボード１４は第１のユーザーインターフェイスを提供し、標準アルファベットフォーマットからなるアルファベット文字４４を含むが、これは周知のフォーマットのＱＷＥＲＴＹ、ＱＷＥＲＴＺ、ＡＺＥＲＴＹやＤＶＯＲＡＫであり、テキスト入力に使用され、また第２のユーザーインターフェイスを提供するが、これは電話入力のための数字を含む。現行の標準アルファベットキーボードのフォーマットは、図１−５に示すようにアルファベット文字用に２６キーを利用し、各キーは単一のアルファベット文字を表す。例示キーボード１４の好適な実施形態では、アルファベット文字を縮小キーフォーマットで提供するが、これは標準フォーマットに比べ列とキー数が少ない。それぞれの２６アルファベット文字が提供されるが、縮小フォーマットにあっては、キーボード中のいくらかのキーは１つ以上のアルファベット文字を表す。アルファベット文字、数字、記号、および機能は、キーボード１４上に印で表され、キーボード１４のキー上に直接位置するか、または移動通信装置のハウジング上に位置する。
【００６６】
好適な縮小物理キーボードは、標準フォーマットのキーボードより少ない列を利用することで達成する。このためキーボード１４は、数字キーパッドベースの移動通信装置に関連するハウジングの形成要素に類似のハウジングへの使用に適している。特に縮小列キーパッド１４は、縮小サイズの装置に対し速度を犠牲にすることなく、利便性をユーザーに提供する。この縮小物理キーボードは、さらにスタイルが良く、ファッショナブルな小型化される装置用に役立つ。
【００６７】
例示キーボード１４の第２のユーザーインターフェイスは、電話パッド４２に対応し、０から９の数字を含む。数字の配列はキーボード上で、図６に示すように標準電話数字キー配置４２の形式が望ましく、これにより数字「１、２、３」が第１行５０に現れ、「４、５、６」が第２行５２に現れ、「７、８、９」が第３行５４に現れ、また少なくとも「０」が第４行、即ち最下部の行５６に現れ、数字の各列は共通の中央線に対して対称的で、数字の中央の列を通る。「０」の位置は数字１から９の残余部分の下部中央が望ましい。さらに標準電話キーパッドと同じく、各数字はそれ自身のキー上に位置している。この標準電話数字キー配置は、「電話回線ネットワークのアクセスに使用可能な電話および他の装置のためのアラビア数字、文字および記号の配置」のタイトルを持つ国際電気通信連合（ＩＴＵ）規格Ｅ．１６１に対応する。（また本規格は、ＡＮＳＩ  ＴＩ．７０３−１９９５／１９９９  およびＩＳＯ／ＩＥＣ  ９９９５−８：  １９９４として知られる。）
一実施形態では、数字キー配置４２も、中央「５」キーの表面に、突起またはくぼみの形状で表面処理の利用が可能である。この突起やくぼみ４３は電話では典型的な標準で、且つタッチだけで「５」キーを確認するのに使用する。ユーザーが一旦「５」キーを確認すると、標準配置のおかげで、残りの電話キーを確認することが可能である。この突起やくぼみ４３は、図６、１０、および１１Ａと２１に例として描写する。この突起やくぼみ４３は、ユーザーがタッチでわかる形とサイズであることが望ましい。例示の突起やくぼみ４３は、円形でも長方形でも、また望ましい他の形でよい．かわりに、突起はハウジング上、「５」キー周辺に位置してよく、また本技術の精通者に知られているとおり、キーに直接位置させる必要はない。
【００６８】
この第４行５６はまた記号「＊」と「＃」を含むが、これらの記号は、図４０に示すようにキーボード１４上の他の位置に位置させることもできるし、または記号検索で援用した場合、移動通信装置の表示面に現れる。好適な実施形態では、記号「＊」は「０」キーの左側に直接位置し、また「＃」キーは「０」キーの右側に直接位置する。いずれの場合でも、この「＊」と「＃」キーは、０から９の数字と、できればキーを共用することが望ましい。
【００６９】
図５０に示す代替の実施形態では、その数字キー配置は、ＩＴＵ−Ｅ．１６１規格に対応しない。この代替の実施形態では、標準タイプライタキーボード上に典型的な配置に配されており、図５に示すように数字キーパッド４６がアルファベット文字から離れている。図５０の物理キーボードは、縮小アルファベット構成４４を描いているが、その数字配置４６はアルファベット文字４４上に上乗せされている。電話数字キー配置４２と同じように、０から９の各数字は、異なるキー上に位置し、またキーは共通の中央線について対称的であり、「０」が１から９の数字キーの残余部分の下部中央に位置している。
【００７０】
このキーボード１４は、典型的にキーボードで使用される記号と機能を、さらに含むことができる。記号の例としては、他に知られている中で、「．」、「，」、「；」、「”」、「’」、「：」、「？」、「／」、「＞」、「＜」、「！」、「＠」、「〜」、「＄」、「％」、「＾」、「＆」、「（」、「）」、「＿」、「−」、「＋」、「＝」、「［」、「］」、「｛」、「｝」、「｜」、および「￥」がある。機能例としては、テキスト入力および電話（数字的）モードと関連する他の周知の機能中、「ｔａｂ」、「ｃａｐｓ  ｌｏｃｋ」、「ｓｈｉｆｔ」、「ｃｏｎｔｒｏｌ」、「ａｌｔ」、「ｒｅｔｕｒｎ／ｅｎｔｅｒ」、「ｂａｃｋｓｐａｃｅ」、「ｉｎｓｅｒｔ」、「ｄｅｌｅｔｅ」、「ｈｏｍｅ」、「ｅｎｄ」、「ｐａｇｅ  ｕｐ」、「ｐａｇｅ  ｄｏｗｎ」、「ｅｎｄ」、「ｅｓｃａｐｅ」、「ｐａｕｓｅ」、「ｂｒｅａｋｅ」、「ｓｅｎｄ」、「ｅｎｄ」、「ｔｘｔ」、「ｓｙｍ」および「ｓｃｒｏｌｌ  ｌｏｃｋ」を含む。
【００７１】
物理キーボード１４上のキーで、数字と関連するものは、テキストモードおよび電話（数字）方式モードで使用できる。このキーボード１４はモード選択キー、またはテキスト入力（第１のユーザーインターフェイス）および電話方式入力（第２のユーザーインターフェイス）を切り替える他のハードかソフトを含むことができる。この電話方式文字は移動通信装置１０が、電話方式またはテキスト入力モード時に入力可能で、且つテキスト入力文字は、移動通信装置１０がテキスト入力モード時に入力可能である。この機能キーは電話方式モード、およびテキスト入力モードでともに動作できるよう配置することも可能で、また替わりに、１つまたはそれ以上の機能キーが、電話方式モードのみ、またはテキスト入力モードのみにて動作可能である。このように、キーボード１４は、この移動通信装置１０のモードによって、少なくとも２つの判然とした人間工学的形態をとることができる。
【００７２】
好適な実施形態では、トグルキーがテキスト入力と電話方式（数字）入力の選択に利用される。見本のトグルキーには、「ａｌｔ」または「ｓｈｉｆｔ」キーがあり、ユーザーは１つのキーを選んで、データー入力をテキスト入力から電話方式モードに、またはその逆に切り替える。
【００７３】
替わりにソフトを入力モードの決定に使用できる。ユーザーが電話方式アプリケーションを利用する場合、そのデフォルトデータ入力モードは数字である。ユーザーがテキスト入力アプリケーションを利用する場合、例えばＥメールを書く場合、そのデフォルトデータ入力モードはテキストである。いずれかのモードの場合、ユーザーはトグルキーを利用し、手動でモードを切り替えることができる。たとえば電話方式アプリケーションにテキストを入力するには、ユーザーは「ａｌｔ」キーを選択してから、必要文字に対応するのに必要なアルファベット・数字併用のキーを押す。ユーザーが電話方式かテキスト入力モードかを、そのユーザーが入力したキーストロークに基づいて予測するため、ソフトを使用できる。
【００７４】
テキスト入力および電話方式モードを供与することにより、キーボードのデザインの結果は、少なくとも２つの個別的ではあるが周知のユーザーインターフェイスとなり、ユーザーが２つの個別の装置を分けて使用した経験を持ったと思われる。ここに論議するそれぞれの縮小フォーマットキーボード１４では、特定の文字、数字、記号、や機能は、移動通信装置に内蔵する予測テキストソフト、および／またはキーと関連する複数のスイッチから抽出可能であり、詳細については以下に論議するとおりである。
【００７５】
再び図面を参照すると、図１０は携帯式移動通信装置１０で、例示の２０キーの物理キーボードで５列と４行を有する。１４のキーをアルファベット文字に使用し、また１０のキーを数字に使用する。１０の数字の９つはアルファベット文字とキーを共用する。「ｓｐａｃｅ」キーと数字「０」は同一のキーを共用し、装置上の中央でキーボード１４上の数字の残余部の下に位置する。４つの行は第１行５０、第２行５２、第３行５４および第４行５６を含む。５つの列は第１列６０、第２列６２、第３列６４、第４列６６、および第５列６８を含む。第１行５０、第２行５２、第３行５４の各キーは、均一のサイズであるが、第４行の底部列５６のキーはそれぞれ異なるサイズで、また最初の３行５０、５２、５４のキーとも異なる。これらの行と列は直線をなすが、第４行５６のキーは、サイズが異なるため、列と完全には整列しない。列は装置１０の縦軸Ｘ−Ｘと実質的に整列する。本例示キーボード行の他の実施形態では、図１１および２０に示すように、その行および／または列は直線をなす必要はない。
【００７６】
図１１は携帯式移動通信装置１０を示し、例示の２０キーアレイの物理キーボードで５列と４行を有する。本キーボードの分解図を図１１Ａに示す。キーボード上の１４個のキーは、アルファベット文字と関連し、また１０個のキーは数字と関連する。４つの行は第１行５０、第２行５２、第３行５４および第４行５６を含む。５つの列は第１列６０、第２列６２、第３列６４、第４列６６、および第５列６８を含む。多くのキーは他のキーと異なるサイズで、また列は非直線的である。特に行はＶ字形で、第３列６４の中のキーがそのＶ点を表している。列は大体直線をなすが、外側の２列の６０、６２、６６、６８の角度は内側の中央列６４に向いている。電話ユーザーインターフェイス（第２のユーザーインターフェイス）を直ちに確認するため、０から９の電話の数字キーには色彩体系があり、ＱＷＥＲＴＹ  キー配置に関連する残りのキーとは異なるものである。本例では電話の数字キーの色彩体系は２つの色調があり、数字キーの上部は第１の色また数字キーの下部は第２の色となっている。本例では、キーの上部は白色で文字は青色であり、またキーの下部は青色で文字は白色である。ＱＷＥＲＴＹキー配置に関連する残りのほとんどのキーは、圧倒的に第２の青色で、白色の文字である。第１の色は第２の色より薄いか、または第２の色より濃い。さらにこのキーボード１４は、「ｓｅｎｄ」キー６、および「ｅｎｄ」キー８を含む。この「ｓｅｎｄ」キー６はキーボード１４の左上の角にあり、また「ｅｎｄ」キー８は右上の角にある。この「ｓｅｎｄ」キー６、および「ｅｎｄ」キー８は、残りのキーとは異なる色彩系統でよく、これにより他のキーと区別する。さらに「ｓｅｎｄ」キー６、および「ｅｎｄ」キー８は、それぞれ個別に異なる色彩としてよい。本例では、「ｓｅｎｄ」キー６は緑色で、また「ｅｎｄ」キー８は赤色である。望むなら異なる色も利用できる。
【００７７】
図１２から１５は移動通信装置１０の両側部、端部、および背部の種々の外観を示す。図１２は、ヘッドジャック２０とＵＳＢポート２２を示す。図１４はスピーカーポート２４、外部充電端子２６、スピーカーフォンボタン２８、および電池扉レリーズ３０を示す。図１５は電源ボタン３２を示す。
【００７８】
図１６から図１９は、ベルトクリップアセンブリ３４に設置された、図１１の携帯式装置１０を示す。図１６は拡張域３６を含み、これがベルトクリップのベルトへの脱着を容易とする。図１６はさらに装置１０を正しくロックする内部保持器３８を示す。図１７は回転式ベルトクリップ４０を示す。図１８はヘッドジャック２０およびＵＳＢポート２２を示すが、これらは、ベルトクリップ上に装着された場合、ベルトクリップアセンブリ３４を通じてアクセス可能である。
【００７９】
図２０は図１０に類似の携帯式移動通信装置１０を示すが、異なるキー配置である。本例では、２０キーアレイが５列と４行に配されている。１４個のキーがアルファベット文字４４と関連し、また１０個のキーが数字４２と関連する。この４行は第１行５０、第２行５２、第３行５４、および第４行５６を含む。この５列は第１列６０、第２列６２、第３列６４、第４列６６、および第５列６８を含む。この行は湾曲した形で、円弧の最上部は中央の列６４にある。それぞれの列は直線をなしており、且つ装置１０の縦軸Ｘ−Ｘに実質的に整列されている。キーは楕円形で、且つ多機能式である。電話パッド数字４２は、アルファベット文字４４に関連するキーと同一の幾らかのキーに付加され、且つ関連している。１０個のキーの９個は、アルファベット文字のキーを共用する。好適な実施形態では、０から９の電話数字はアルファベット文字キー配置４４の中央に位置する。「ｓｐａｃｅ」バーは「０」の数字と符合し、且つ第４行５６の第３列６４の中央に位置する。
【００８０】
図２１から図２７までは、図２０に示す物理キーボード用の各種キー配列を示すが、５列と４行を利用し、付加された電話数字キー配置４２を伴う縮小列ＱＷＥＲＴＹキーボードを表す。この４つの行は第１行５０、第２行５２、第３行５４および第４行５６を含む。この５つの列は第１列６０、第２列６２、第３列６４、第４列６６、および第５列６８を含む。
【００８１】
図２１は、ＱＷＥＲＴＹアルファベット配列４４と結合の電話の数字キー配置４２を有するユーザーインターフェイスを示す。キーの総数は１５個で、アルファベット文字は１４個のキーと関連し、また数字は１０個のキーと関連している。この特定の実施形態では、電話の数字キー配置４２が、第２、第３、および第４列、６２、６４、６６上の中央に位置する。９つのキーがアルファベットと数字の入力を共用する。例えば、「ＥＲ／１」キーは文字「Ｅ」または「Ｒ」、または数字「１」の入力に使用できる。追加的な操作上（例えばｂａｃｋｓｐａｃｅ、ｒｅｔｕｒｎ／ｅｎｔｅｒ、ｅｘｉｔ）、記号上、および機能上（例えば、ａｌｔ、ｃｏｎｔｒｏｌ）  のキーを、図２２に示すようにキーボード１４に追加可能である。
【００８２】
印が各キーに位置し、どのアルファベット文字、数字、記号、および機能が各キーと関連するかを指示する。アルファベット文字および数字を個別に区別するため、図２１に示すキー上の数字印のフォントサイズは、アルファベット文字印のフォントサイズより大きい。代替の実施形態では、数字とアルファベット文字印間のフォントタイプが異なってもよい。他の実施形態では、数字とアルファベット文字印をさらに区別するため、異なるフォントサイズと異なるフォントタイプを利用できる。数字とアルファベット文字印を区別するための追加の方法は、印に異なる色を使用することである。例えば、図２２に示すように、例えば数字印を第１の色とし、アルファベット文字印を第２の色とし、他の残る非ファベット文字や数字キーを第３の色とすることである。かわりに、図１１Ａに関連してすでに論じたように、キー自身の背景色を変えることで、キーのタイプを区別できる。他の印区別化として、異なる構造および／または表面処理も使用可能である。
【００８３】
図２２は２０キーの物理キーボード１４を示すが、数字キー配置４２は５つの行間の中央に位置する。キーの第１行５０は、テキスト入力および電話方式モードのために、以下のキー組合せが順番に含まれている。「ＱＷ」、「ＥＲ／１」、「ＴＹ／２」、「ＵＩ／３」、および「ＯＰ」である。第２行５２は以下のキー組合せを順番に含む：「ＡＳ／，」、「ＤＦ／４」、「ＧＨ／５」、「ＪＫ／６」、および「Ｌ／．」。第３行５４は以下のキー組合せを順番に含む：「ＺＸ／ｓｙｍ」、  「ＣＶ／７」、  「ＢＮ／８」、  「Ｍ／９」および「ｂａｃｋｓｐａｃｅ／ｄｅｌｅｔｅ」。この「ｓｙｍ」機能キーは、ユーザーが入力可能な記号のリストを引き出す。第４行５６は、以下のキー組合せを順番に含む：「ａｌｔ」、「ｎｅｘｔ／＊」、「ｓｐａｃｅ／０」、「ｓｈｉｆｔ／＃」、および「ｒｅｔｕｒｎ／ｅｎｔｅｒ」。上部の３行のキー５０、５２、５４は、均一なサイズであるが、第４行５６のキーは、上部の３行のキーとは異なるサイズである。特に中央の「ｓｐａｃｅ」キー８４は、その行の他の４つのキーより大きく、他の４つのキーは類似のサイズである。第４行５６中の最も外側のキーは、美学的およびその他の理由でさらに丸い形となっている。それぞれの行は直線をなし、それぞれの列も直線をなして、第４行５６のキーは、第５列のキーとサイズが異なるため整列しない。電話の数字キー配置４２の「０」は、「ｓｐａｃｅ」バーと一致する。第４行５６に関する他の実施形態では、中央の「ｓｐａｃｅ」キーは、多機能、記号、文字または数字を含み、「ｎｅｘｔ／＊」、「ｓｐａｃｅ／０」、「ｓｈｉｆｔ／＃」や他のキー組合せの通りである。特定の機能、文字、記号や数字の選択は、移動通信装置に内蔵する予測テキストソフト、および／または「ｓｐａｃｅ」キーと関連する複数スイッチにより抽出できる。
【００８４】
図２２はまた、例示的なキーボードの別の特徴を示す。この特徴において、スペースキーは、キーボードの第４行５６における残りのキーよりも高い高さを有する。それは、他のキーと比較して長い。一実施形態において、示されるように、スペースキーは、第４行５６における残りのキーの底部を通り過ぎて、下方に延びる。特に、キーのそれぞれの行は、行における全てのキーに対して、上部整列ラインＴおよび底部整列ラインＢを有し、全てのキーは、上部ラインＴと底部ラインＢとの間に、少なくとも部分的に配置される。図２２において示される実施形態において、スペースキーは、底部整列ラインＢの下に伸びている。より背の高いスペースキーによって、ユーザは、キーボード上にてしばしば使用されるキーであるそのスペースキーをさらに容易に認識することができる。そのキーは底の行５６における残りのキーの下に延びているので、ユーザの指は、触れることを介してキーの位置をさらに容易に認識し得る。この特徴はまた、図２６、図２７、および図４７において示される。
【００８５】
図２３は、図２２が提供したアルファベット文字４４の縮小ＱＷＥＲＴＹ配置用の類似のフォーマットを示すが、その電話の数字キー配置４２は、キーボード１４上中央に位置せず、第１列６０、第２列６２、および第３列６４に位置する。キーの第１行５０は、テキスト入力および電話方式モード用に、以下のキー組合せを順番に含む：「ＱＷ／１」、「ＥＲ／２」、「ＴＹ／３」、「ＵＩ」、および「ＯＰ」。第２行５２は以下のキー組合せを順番に含む：「ＡＳ／４」、「ＤＦ／５」、「ＧＨ／６」、「ＪＫ／，」、および「Ｌ／．」。第３行５４は以下のキー組合せを順番に含む：「ＺＸ／７」、「ＣＶ／８」、「ＢＮ／９」、「Ｍ／ｓｙｍ」および「ｂａｃｋｓｐａｃｅ／ｄｅｌｅｔｅ」。第４行５６は以下のキー組合せを順番に含む：「ｎｅｘｔ／＊」、「ｓｐａｃｅ／０」、「ｓｈｉｆｔ／＃」、「ａｌｔ」、および「ｒｅｔｕｒｎ／ｅｎｔｅｒ」。各行のキーは均一なサイズで、且つその行と列は直線をなす。
【００８６】
図２４は組合せＱＷＥＲＴＹアルファベット配置４４と電話の数字キー配置４２を示し、数字入力に関連するキーは、物理キーボード１４を横切って置かれている。図示するように、数字は第１、第３および第５列６０、６４、６８と関連し、それぞれが１つの列幅のスペースをとっている。特に数字「１」の印は、「ＱＷ」キー上にあり、「２」キー印は「ＴＹ」キー上にあり、「３」印は「ＯＰ」キー上にある。他の実施形態のレイアウトには、代替キー型で表される数字およびアルファベット印を含む。例えば、１つの代替え形態では、「ＯＰ」キー上に付加された印「１」を含み、「ＵＩ」キー上には印「２」を、また「ＴＹ」キー上には印「３」を含む。すべての場合、「０」キーは、１から９キーの残余部中央下に位置する。
【００８７】
図２５は、組合せ縮小ＱＷＥＲＴＹアルファベット配置４４と電話の数字キーパッド配置４２の他の実施形態を説明するが、そこでは数字配置用の印が、キー上ではなくハウジングの表面上に位置する。本実施形態では、数字「１」の印は第２列６２、第１行５０上の「ＥＲ」キー上直接位置し、数字「２」の印は第３列６４、第１行５０上の「ＴＹ」キー上に位置し、また数字「３」の印は第４列６６、第１行５０上の「ＵＩ」キー上に位置する。さらに数字「４」印は、第２列６２、第２行５２上の「ＤＦ」キーと「ＥＲ」キーの間に位置し、また数字「７」印は、「ＤＦ」キーと第２列６２、第３行５４上の「ＣＶ」キーの間に位置する。
【００８８】
図２６は図２２に示すものと類似している他の配置だが、縮小ＱＷＥＲＴＺキーボード用のものである。図２７は図２２に類似のキー配置だが、縮小ＡＺＥＲＴＹキーボード配置用のものである。上記のそれぞれの実施形態では、リターン／エンターキー４８は、キーボード１４の右下の角の近くに位置する。好適な実施形態にあっては、リターン／エンターキー４８は第５列６８、または第４行５６に位置する。
【００８９】
図２８は図２０に示すものに類似の携帯式装置１０を説明するが、４行縮小キー配置による７つの列付きのものである。この４行は第１行５０、第２行５２、第３行５４、および第４行５６を含む。この７つの列は第１列６０、第２列６２、第３列６４、第４列６６、第５列６８、第６列７０、第７列７２を含む。第１の最上行５０は７つのキーを含む。第２行５２は７つのキーを含み、また第３行５４は７つのキーを含む。第４の最下部行５６は、３つのキーしか含まず、第３列６４、第４列６６、および第５列６８と整列して示される。アルファベット文字は総計２４キーのうちの１７キーと関連する。数字は１０キーと関連し、その内の９つのキーがアルファベット文字との関連を共用する。アルファベット文字は第１、第２および第３行と関連し、また数字は４つの行のそれぞれのキーと関連する。列は一般的に直線をなし、また行は湾曲して第４列６６を中心とする円弧を描く。それぞれの列は直線をなし、且つ装置１０の縦軸Ｘ−Ｘと整列する。キーは楕円形で、多機能である。
【００９０】
図２９は図２８に示すものと類似の物理キーボード１４を示すが、長方形のキー付きで、列と行は直線をなすものである。特に図２９のキーボード１４配置は４つの行と７つの列を含む。この４つの行は第１行５０、第２行５２、第３行５４および第４行５６を含む。７つの列は、第１列６０、第２列６２、第３列６４、第４列６６、第５列６８、第６列７０、および第７列７２を含む。アルファベット文字４４は、総計２８キーのうちの１９キーと関連する。図２９は電話方式モードを示すものではないが、望ましければ、電話方式モードを図３３から図３７までのように含ませることができる。キーの第１行５０は、テキスト入力および電話方式モード用に、以下のキー組合せを順番に含む：「ＱＷ」、「Ｅ」、「Ｒ」、「ＴＹ」、「Ｕ」、「Ｉ」、および「ＯＰ」。第２行５２は以下のキー組合せを順番に含む：「Ａ」、「Ｓ」、「ＤＦ」、「Ｇ」、「Ｈ」、「ＪＫ」、および「Ｌ」。第３行５４は以下のキー組合せを順番に含む：「ａｌｔ」、「ＺＸ」、「Ｃ」、「ＶＢ」、「Ｎ」、「Ｍ」および「ｂａｃｋｓｐａｃｅ／ｄｅｌｅｔｅ」。第４行５６は以下のキー組合せを順番に含む：「ｎｅｘｔ」、「ｓｈｉｆｔ」「ｓｐａｃｅ」、「ｓｈｉｆｔ」、および「ｒｅｔｕｒｎ／ｅｎｔｅｒ」。各行のキーは均一なサイズで、且つその行と列は直線をなす。第４行５６の最初と最後のキーは空白であるが、他のキーの中で如何なる機能や記号のキーを置くことができる。かわりにこれらのキーはキーボード１４では提供できない。
【００９１】
図３０は図２９に示したものと類似の物理キーボード１４を示すが、第４行５６中はわずか５つのキーしか含まない。図３０のキーボード１４配置は４つの行と７つの列を有するが、第４行５６はわずか５つのキーしか含まない。この４つの行は、第１行５０、第２行５２、第３行５４、および第４行５６を含む。７つの列は、第１列６０、第２列６２、第３列６４、第４列６６、第５列６８、第６列７０、および第７列７２を含む。アルファベット文字４４は、総計２８キーのうちの１９キーと関連する。図３０は電話方式モードを示すものではないが、望ましければ、電話方式モードを図３３から図３７までのように含ませることができる。キーの第１行５０は、テキスト入力モード用に、以下のキー組合せを順番に含む：「ＱＷ」、「Ｅ」、「Ｒ」、「ＴＹ」、「Ｕ」、「Ｉ」、および「ＯＰ」。第２行５２は以下のキー組合せを順番に含む：「Ａ」、「Ｓ」、「ＤＦ」、「Ｇ」、「Ｈ」、「ＪＫ」、および「Ｌ」。第３行５４は以下のキー組合せを順番に含む：「ａｌｔ」、「ＺＸ」、「Ｃ」、「ＶＢ」、「Ｎ」、「Ｍ」および「ｂａｃｋｓｐａｃｅ／ｄｅｌｅｔｅ」。第４行５６は以下のキー組合せを順番に含む：「ｎｅｘｔ」、「ｓｈｉｆｔ」「ｓｐａｃｅ」、「ｓｈｉｆｔ」、および「ｒｅｔｕｒｎ／ｅｎｔｅｒ」。各行のキーは、第４行５６のキー以外は均一なサイズで、第１行から第３行５０、５２、５４中のキーとは異なるサイズである。特に「ｓｐａｃｅ」キーはキーボード１４上の他のキーより大きい。行と列は直線をなし、ただ第４行５６のキーは７つの列とは整列していない。第４行５６の中のキーは、７つより少ないが、７つのすべての列の全幅を占める。
【００９２】
図３１は図３０に示したものに類似する物理キーボード１４の配置を示すが、第４行５６のキーは、７つのキーの列幅より小さい組合せ幅を有する。図３２は図３０に示したものに類似する物理キーボード１４の配置を示すが、第４行５６に３つのキーしか有せず、且つ第４行５６の幅は、７つのキーの全幅を占めない。図３２の第４行５６は、以下のキー組合せを含む：「ｎｅｘｔ」、「ｓｐａｃｅ」、および「ｓｈｉｆｔ」。
図３３は図２９に示したものに類似する物理キーボード１４の配置を示すが、縮小ＱＷＥＲＴＹアルファベットキー４４上に付加された電話の数字キー配置４２を伴う。キー用の印はキー上に直接位置する。この４つの行は、第１行５０、第２行５２、第３行５４、および第４行５６を含む。この７つの列は、第１列６０、第２列６２、第３列６４、第４列６６、第５列６８、第６列７０、および第７列７２を含む。本実施形態では電話の数字キー配置４２は、第３列６４、第４列６６および第５列６８のキーパッドの中央に位置する。アルファベット文字４４は、総計２８キーのうちの１９キーと関連する。数字は１０キーと関連し、そのいくつかはアルファベット文字との関連を共用する。キーの第１行５０は、テキスト入力と電話方式モード用に、以下のキー組合せを順番に含む：「ＱＷ」、「Ｅ」、「Ｒ／１」、「ＴＹ／２」、「Ｕ／３」、「Ｉ」、および「ＯＰ」。第２行５２は以下のキー組合せを順番に含む：「Ａ」、「Ｓ」、「ＤＦ／４」、「Ｇ／５」、「Ｈ／６」、「ＪＫ」、および「Ｌ」。第３行５４は以下のキー組合せを順番に含む：「ａｌｔ」、「ＺＸ」、「Ｃ／７」、「ＶＢ／８」、「Ｎ／９」、「Ｍ」および「ｂａｃｋｓｐａｃｅ／ｄｅｌｅｔｅ」。第４行５６は以下のキー組合せを順番に含む：「ｎｅｘｔ」、「ｓｈｉｆｔ／＊」、「ｓｐａｃｅ／０」、「ｓｈｉｆｔ／＃」、および「ｒｅｔｕｒｎ／ｅｎｔｅｒ」。各行のキーは均一なサイズであり、行と列は直線をなす。第４行５６の最初と最後のキーは、空白で示されているが、他のキータイプの中からどの機能キーや記号キータイプを置くことができる。
【００９３】
図３４は図３３に示すものと類似の物理キーボード１４を示すが、電話の数字キー配置４２を伴い、第２列６２、第３列６４および第４列６６に位置する。キーの第１行５０は、テキスト入力および電話方式モード用に、以下のキー組合せを順番に含む：「ＱＷ」、「Ｅ／１」、「Ｒ／２」、「ＴＹ／３」、「Ｕ」、「Ｉ」、および「ＯＰ」。第２行５２は以下のキー組合せを順番に含む：「Ａ」、「Ｓ／４」、「ＤＦ／５」、「Ｇ／６」、「Ｈ」、「ＪＫ」、および「Ｌ」。第３行５４は以下のキー組合せを順番に含む：「ａｌｔ」、「ＺＸ／７」、「Ｃ／８」、「ＶＢ／９」、「Ｎ」、「Ｍ」および「ｂａｃｋｓｐａｃｅ／ｄｅｌｅｔｅ」。第４行５６は以下のキー組合せを順番に含む：「ｎｅｘｔ／＊」、「ｓｈｉｆｔ／０」、「ｓｐａｃｅ／＃」、「ｓｈｉｆｔ」、および「ｒｅｔｕｒｎ／ｅｎｔｅｒ」。各行のキーは均一なサイズで、且つその行と列は直線をなす。第４行５６の最初と最後のキーは空白であるが、他のキーの中で如何なる機能や記号のキーを置くことができる。
【００９４】
図３５は図３３に示すものと類似の物理キーボード１４を示すが、電話の数字キー配置４２を伴い、第１列６０、第２列６２、および第３列６６に位置する。キーの第１行５０は、テキスト入力および電話方式モード用に、以下のキー組合せを順番に含む：「ＱＷ／１」、「Ｅ／２」、「Ｒ／３」、「ＴＹ」、「Ｕ」、「Ｉ」、および「ＯＰ」。第２行５２は以下のキー組合せを順番に含む：「Ａ／４」、「Ｓ／５」、「ＤＦ／６」、「Ｇ」、「Ｈ」、「ＪＫ」、および「Ｌ」。第３行５４は以下のキー組合せを順番に含む：「ａｌｔ／７」、「ＺＸ／８」、「Ｃ／９」、「ＶＢ」、「Ｎ」、「Ｍ」および「ｂａｃｋｓｐａｃｅ／ｄｅｌｅｔｅ」。第４行５６は以下のキー組合せを順番に含む：「ｎｅｘｔ／＊」、「ｓｐａｃｅ／０」、「ｓｈｉｆｔ／＃」、および「ｒｅｔｕｒｎ／ｅｎｔｅｒ」。各行のキーは均一なサイズで、且つその行と列は直線をなす。第４行５６の第４列６６、第５列６８、および第６列７０は空白であるが、他のキーの中で如何なる機能や記号のキーを置くことができる。電話の数字キー配置４２はキーボード１４の中央の位置することが望ましいが、キーボード１４のどの列中に位置してもよい。
【００９５】
図３６は図３３に示すものと類似の物理キーボード１４を示すが、第４行５６には５つのキーしかない。「ｓｐａｃｅ」バー他のキーのサイズより大きく、また数字「０」を含む。さらに「ｓｐａｃｅ」バーはキーボード１４のキーの中央で、電話の数字キー配置４２の残余部分に位置する。行と列は直線をなすが、第４行５６中のキーは、７つの列と整列しない。第４行５６は７つより少ないが、７つの全ての列の全幅を占める。
【００９６】
図３７は図３６と類似するが、第４行５６中のキーは７つの列の全幅を占めない。他のキー配置も制限なしに利用できる。
【００９７】
図３８と図３９は５列４行の縮小ＱＷＥＲＴＹアルファベットキー配置４４を示し、これらは図２０から２７で提供したキーボード配置に類似するが、異なるキー指定である。図３８は合計１８のキーを利用し、アルファベット文字４４が総キーのうち１２キーと関連している。図３９は合計２０のキーを含み、また１４のキーはアルファベットキー配置４４と関連する。図３８と３９では、電話の数字キー配置４２は、中央の列５２、５４、５６、の中央の位置することが望ましいが、キーボードの他のどの列中に位置してもよい。
【００９８】
図４０と図４１は６列４行の縮小ＱＷＥＲＴＹアルファベットキー配置４４を示す。この４行には第１行５０、第２行５２、第３行５４、および第４行５６を含む。この６列は、第１列６０、第２列６２、第３列６４、第４列６６、第５列６８、および第６列７０を含む。図４０は合計２５のキーを利用する。アルファベット文字４４は１７のキーと関連している。電話の数字キー配置４２は、第１、第２、および第３列６０、６２、６４と関連する。図４０は第４行５６に６つのキーの替わりに５つのキーを有し、またキーボード１４配置の中央にある追加の「ｓｅｌｅｃｔ」８８と「ｃａｎｃｅｌ」８６キーを利用し、列６０、６２、６４、の３つが「ｓｅｌｅｃｔ」キー８８の左に位置し、列６６、６８、７０の３つが「ｓｅｌｅｃｔ」キー８８の右に位置する。「ｓｐａｃｅ」キー８４は「ｓｅｌｅｃｔ」キー８８の下部中央に位置する。「ｓｅｌｅｃｔ」キー８８はトグルキーが望ましい。
【００９９】
図４１は合計２２のキーを含む。アルファベット文字４４は１５のキーと関連する。電話の数字キー配置４２は、第２、第３および第４列６２、６４、６６のキーと関連する。図４１は第４行５６の４つのキーを利用する。図４０と４１では、「０」キーは電話の数字キー配置４２の残余部の下部中央に位置する。図４０では、「＊」および「＃」キーは「０」キーに隣接しない。かわりにアルファベットキーと関連し、「ｓｅｌｅｃｔ」キー８８の右側に位置が示される。望ましければ、他の場所に位置させてもよいが、好適な場所は「０」キーのどちらかの側に直接位置することで、電話の数字キー配置がユーザーにとって慣れやすい。
【０１００】
図４２は４列４行の縮小ＱＷＥＲＴＹアルファベットキー配置４４を示し、このＱＷＥＲＴＹアルファベットキー配置４４上に付加された電話の数字キー配置４２を伴う。電話の数字キー配置４２は、キーボード配置の第１列、第２列、および第３列６０、６２、６４に位置し、また「ｓｐａｃｅ／０」キーが数字１から９の残余部の下部中央に位置する。アルファベット文字は、合計１６のキーのうちの１０のキーと関連し、数字はアルファベットキーの９つと関連する。
【０１０１】
図４３と図４４は縮小ＱＷＥＲＴＹアルファベットキー配置４４を示すが、４行のキーがあり、第１行５０は第４行５６キーより多くのキー数を有する。各中間行は、その上に位置する行よりキー数は少ない。図４３で第１行５０は、６つのキーを含み、第２行５２は５つのキーを含み、第３行５４は４つのキーを含み、また第４行５６は３つのキーを含む。このように、第１行５０の下の各行は、すぐ上に位置する行よりキー１つ分少ない。図４４は第１行５０に５つのキー、第２行５２に４つのキー、第３行５４に３つのキー、第４行５６に１つのキーを有する。他の類似の不均一な配置も利用できる。数字は図４３と４４に描かれていないが、前記および後記するように、キー上に付加することができる。
【０１０２】
図４５と図４６は縮小ＱＷＥＲＴＹ物理キーボードの代替の実施形態を示し、３行と６列を示している。キーは左側８０と右側８２に分離され、左側８０キーは「ｓｐａｃｅ」キー８４を中央に位置し、また右側８２キーは「ｓｐａｃｅ」キー８４を中央に位置する。キーは長楕円形として描かれているが、他の形をとっても良い。さらに数字も含ませることも可能である。
【０１０３】
図４７から図４９は物理キーボード１４の代替の実施形態を示し、電話の数字キー配置４２が付加された縮小ＱＷＥＲＴＹ配置のアルファベット文字４４と関連するキーを有する。これらの実施形態では、いくらかの数字は１つより多いキーと関連する。例えば図４７は５列キーボード１４を図示し、電話の数字キー配置４２の最も外側の行が重複しており、ユーザーが上部３行５０、５２、５４のどのキーを打っても、数字が電話方式モードで選択される。特に数字「１、４、７」は第１および第２列６０、６２と関連し、一方、数字「３、６、９」は第４および第５列６６、６８と関連する。電話の数字キー配置４２はキーボード１４上の中央に残り、また「ｓｐａｃｅ」機能は「０」キーを共用して、数字の残余部下部中央に留まり、またキーボード１４上の中央に位置する。
【０１０４】
図４８は６列の縮小ＱＷＥＲＴＹ物理キーボード１４を示し、電話の数字キー配置４２は各６つの列のキーと関連する。数字「１、４、７」は第１および第２列６０、６２に関連し、数字「２、５、８、０」は第３および第４列６４、６６に関連し、また数字「３、６、９」は第５および第６列６８、７０に関連する。電話の数字キー配置は、またキーボード１４上の中央に位置する。「ｓｐａｃｅ」機能は「０」キーの１つとキーを共用する。
【０１０５】
図４９は図４７から図４８に類似するが、縮小ＱＷＥＲＴＹキー配置用に７つの列を利用する。数字「１、４、７」は第１および第２列６０、６２に関連し、数字「２、５、８、０」は第３、第４および第５列６４、６６、６８に関連し、また数字「３、６、９」は第６および第７列７０、７２に関連する。さらに図４９は、各キーに位置する電話の数字キー配置４２用の印を示す。印はアルファベット文字印と数字印について異なるサイズと色を有する。
【０１０６】
図５０は縮小キーＱＷＥＲＴＹ物理キーボード１４の代替の実施形態を示すが、図５に示すように数字キーパッド４６と組合せとなっている。本実施形態では、数字「７、８、９」は第１行５０に位置し、数字「４、５、６」は第２行５２に位置し、数字「１、２、３」は第３行５４に位置し、また、数字「０」は第４行５６で数字の残余部の下の中央に位置する。従来の技術と同様に、数字キーパッド４６は、他の列に位置させることが可能で、または図４７から４９、や５１、５２に示すように複数の列に位置させてもよい。
【０１０７】
図５１と５２も他例の物理キーボード９０を提示する。このキーボードは全ＱＷＥＲＴＹアルファベット配置で、アルファベット文字上に付加された電話の数字キー配置４２を有し、多くのキーが多機能となっている。本実施形態では図４７から４９のように、電話の数字キー配置４２の数字は１つより多いキーと関連する。例えば数字「１、４、７」は第３および第４列６４、６６のキーと関連し、数字「２、５、８、０」は、第５および第６列６８、７０と関連し、また数字「３、６、９」は第７および第８列７２、７４のキーと関連する。数字と関連する印が、キーの直接上ではなく、キーボード１４の面上に置かれていて、またブラケットや他の指示用マーキングを、キーボード１４上に置いて、必要であればどのキーが数字と関連するかを確認する。図５１は２つの「０」キーと関連する「ｓｐａｃｅ」機能を利用する。図５２は図５１と類似するが、行５６の中央の４つのキーが単一キーとして、「０」および「ｓｐａｃｅ」機能と関連することを除く。
【０１０８】
記号は示されていない場合でも、図面に示すキー上に含ませることができる。図２０、２２から２３、２６から４３、４６から５２、および５４に示した各実施形態では、「ｒｅｔｕｒｎ／ｅｎｔｅｒ」４８キーが、キーボード１４の右側の下部の角の近くに位置する。好適な実施形態では、「ｒｅｔｕｒｎ／ｅｎｔｅｒ」４８キーが、最右列、または第４行５６中に位置する。
【０１０９】
物理キーボード１４は、文字入力用の各キーに関連するハードとソフトを含み、キー上やその近くの印で示されるとおりである。キー入力と関連するハードとソフト付きのキーボードアセンブリを有する移動通信装置の一例は、米国特許出願番号０９／９６７，５３７と１０／３０２，２４２、および米国特許番号６，２７８，４４２に記載されており、その公開は全体にわたり参照によってここに編入され、また図５３と５４に描かれている。
【０１１０】
図５３は移動通信装置１０のハード的な分解図であり、一例のキーボード配置１４を含んでいる。装置は第１の装置ハウジング部２６０と第２の装置ハウジング部２６２を含む。ハウジング部はファスナー（図示せず）で接続され、複数の穴２５０、２５４を連結して単一の統合的装置ハウジングを形成し、移動通信装置１０の内部部品を封入する。ファスナーはスクリュー、リベット、または類似のものでよい。しかしファスナーは装置ハウジング部の接続に使用できる一例である。その他の部品としては、フレキシブルまたは固定式だが変形可能な部材であり、できれば装置ハウジング部の１つと一体をなすもので、他のハウジング部や各装置ハウジング部で構造に貢献し、また装置ハウジング部を共に支持するため変形されるものを含む。装置ハウジング部は、また或いは替わりに、たとえば接着剤を使って接着することも可能である。しかし装置ハウジング部は、例えばスクリュー等のリリース可能なファスナーを使用することが望ましい。
【０１１１】
図５３を参照すると、装置１０はＰＣＢ（プリント回路基板）２６４を含む。移動通信装置のほとんどの内部部品は、ＰＣＢ２６４上の複数のスイッチ上に据付ける事が望ましい。キーボード１４はキーウェブ２３３Ａ上に据付ける事が望ましい。キーボード１４は、好ましくはキーウェブ２３３ＡをＰＣＢ２６４上の複数のスイッチ２３３Ｂの上に配置することにより形成される。キーウェブ２３３Ａと複数のスイッチ２３３Ｂは、キーが押された時に、キーウェブ２３３Ａの各キーがスイッチ２３３Ｂの１つに接触し、且つ動作するよう配置されることが望ましい。他の配置も実行可能で、スイッチ２３３Ｂの数をキーウェブ２３３Ａ上のキー数より少なくし、またはスイッチ２３３Ｂの数をキーウェブ２３３Ａ上のキー数より多くすることが可能である。キーウェブ２３３Ａとスイッチ２３３Ｂは、第１の装置ハウジング部２６０上の開口２３５が、キーボード１４を少なくとも部分的に露出させるようにも位置させる。キーウェブ２３３Ａの部分は開口２３５によりキー表面を出すよう露出し、これをユーザーが押すことによって装置１０にデーター入力を可能とする。このようなデーター入力は、例えば装置１０上のデーター通信の生成に使用できる。
【０１１２】
ディスプレイ１６は、図５３に示すようにＰＣＢ２６４上に据付けることが望ましい。第１の装置ハウジング部２６０と第２装置ハウジング部２６２を接合した場合、第１の装置ハウジング部２６０中の開口２２３は、ディスプレイ１６を少なくとも部分的に露出する。第１の装置ハウジング部２６０中の開口２２３とＰＣＢ２６４上のディスプレイ１６を、ディスプレイ１６の表示部２２５が露出するよう位置させることが可能である。ディスプレイ１６と関連するフレームおよび他の部品は、第１および第２の装置ハウジング部２６０、２６２が結合された時に、見えないことが望まれる。
【０１１３】
スピーカー２３４は、ＰＣＢ２６４の上部かその近くに組立てることが望まれる。第１の装置ハウジング部２６０の１つまたはそれ以上の開口２３５は、第１の装置ハウジング部２６０と第２の装置ハウジング部２６２が接合した場合、スピーカー２３４が少なくとも部分的に露出するように位置する。マイクロフォン２３６が第２の装置ハウジング部２６２上に組立てられる。マイクロフォン２３６は、第２の装置ハウジング部中の開口２３７Ｂによって、少なくとも部分的に露出し、またＰＣＢと他の装置部品と接合する。マイクロフォン２３６へのオーディオや音声入力が使用可能で、例えば音声通信を行うためである。マイクロフォン２３６がハウジング中に位置する場合、開口（図示せず）が第１の装置ハウジング部２６０に置かれ、マイクロフォン２３６を少なくとも部分的に露出する。マイクロフォン２３６は第１の装置ハウジング部２６０中か、ＰＣＢ２６４上、どちらかに組立てられる。
【０１１４】
装置ハウジング部２６０、２６２は更に開口を有することが可能で、他の装置部品、または部分を露出する。第１の装置ハウジング部２６０の中で、開口２７０、２７２と２７４は、補助Ｉ／Ｏ装置を部分的に露出するよう配置される。開口２６８は第２の装置ハウジング部２６２中に同様に位置し、補助Ｉ／Ｏ装置２２８Ｄを少なくとも部分的に露出する。第２装置ハウジング部２６２中の開口２６６は、バッテリー等の電源を入れるために具備できる。他の開口も装置ハウジング内に必要に応じて具備できる。
【０１１５】
装置１０の他の内部部品もＰＣＢ２６４上に据付可能である。装置部品は連結され、少なくともデーターおよび音声通信機能性を供与するが、これはローカル非通信機能と短期通信機能に追加となろう。他のこれら部品は図５３に示されていないが、できればキーボード１４、ディスプレイ１６およびスピーカー２３４が据付てられている反対側、ＰＣＢ２６４の背部に据付けることが望ましいが、いくらかの部品は、ディスプレイ１６および／またはキーボード１４の近く、またはＰＣＢ２６４の上か、その端にそって据付けることができる。装置１０の内部部品は、必要に応じ有線接続、ＰＣＢトラック、その他のコネクターや接続タイプ、あるいはそれらの可能な結合を通じて相互に接続される。
【０１１６】
第１および第２の装置ハウジング部２６０、２６２が結合された場合は、携帯式移動通信装置ハウジング１０を形成し、ＰＣＢ２６４と内部部品を内蔵する。開口２３５、２２３、２３５と２３７Ｂは、上記の通りスピーカー２３４、ディスプレイ１６、キーボード１４およびマイクロフォン２３６を、少なくとも部分的に露出する。これら部品の部分的露出によって、ユーザーの使用に供するだけでなく、同時に損傷を防ぐことができる。開口２６８、２７０、２７２、２７４は補助Ｉ／Ｏ装置を同様に露出し、且つ保護する。部品へのアクセスが通常比較的に頻繁でない場合は、対応する装置ハウジング開口に取り外し可能なカバーエレメントを具備できる。装置電源供給の上記例では、カバー（図示せず）を開口２６６に備えることが望ましい。これにより必要に応じ電源へのアクセスが可能で、しかもアクセスが必要でない場合は、バッテリーの保護は継続される。
【０１１７】
図５３の組立は装置１０に対して生産上の大きな利益を提供する。単一ＰＣＢ２６４上の多くの内部装置部品の据付によって、ＰＣＢの製造が簡略化され、この方法では単一のＰＣＢを装置ハウジング部に組み立てて位置させるだけである。異なるＰＣＢ間の相互接続、および複数のＰＣＢの正確な相互設置に関連する問題は回避される。製造中は、ＰＣＢ２６４は第１のハウジング部２６０または第２装置ハウジング部２６２上か中に位置させることができる。他の装置部をついで適当に移動し、またハウジング部は結合し、ＰＣＢと他の内部装置部品を、単一の一体化装置ハウジングに封入する。一旦組立てると、装置ハウジングは静的であり、装置ハウジング部を、音声およびデーター通信や他の機能のために、互いの位置関係を移動する必要はない。利点としてハウジング部の損傷、および問題のある蝶番配置と接続が回避される。
【０１１８】
移動通信装置１０は、キーボードと併せて使用する予測テキストコンピュータプログラムも含むことが可能である。予測テキストソフトは、例示のような縮小フォーマットキーボードに有用で、ユーザーのキー打ちの組合せから必要な入力を確認する。例えば、予測テキストコンピュータプログラムは、１つまたはそれ以上のキー打ちから完全なワードやフレーズの予測に使用できる。もし予測テキストコンピュータプログラムが、必要なワードやフレーズの予測に成功しなかった場合は、テキスト入力文字は、すこし時間はかかるが、キー上の適切な文字を選択して、さらに正確に入力できる。例示の予測テキストコンピュータプログラムは、以下の共有特許出願中に記載されており、参照することによりその全体がここに組み入れられる：米国仮出願番号第６０／３９７，６８０、２００２年７月２３日提出「Ｃｕｓｔｏｍｉｚａｂｌｅ  Ｐｒｅｄｉｃｔｉｖｅ  Ｔｅｘｔ  Ｍｅｔｈｏｄ  Ｆｏｒ  Ｒｅｄｕｃｅｄ  Ｋｅｙｂｏａｒｄｓ」、国際特許出願番号ＰＣＴ／ＣＡ０３／０１１０３、２００３年７月２３日提出「Ｓｙｓｔｅｍｓ  ａｎｄ  Ｍｅｔｈｏｄｓ  ｏｆ  Ｂｕｉｌｄｉｎｇ  ａｎｄ  Ｕｓｉｎｇ  Ｃｕｓｔｏｍ  Ｗｏｒｄ  Ｌｉｓｔｓ」、および国際特許出願番号ＰＣＴ／ＣＡ０２／００８６２、２００２年６月１０日提出「Ｐｏｒｔａｂｌｅ  Ｅｌｅｃｔｒｏｎｉｃ  Ｄｅｖｉｃｅ  Ｗｉｔｈ  Ｋｅｙｂｏａｒｄ」。
【０１１９】
多くの異なる予測テキスト技術が知られており、例示のキーボードとともに利用される。マルチタップ方法論では、ユーザーは必要な文字、数字、記号または機能が選択されるまで、キーを複数回にわたって打つ。本技術は他の装置の中で携帯電話およびタッチスクリーン装置に利用されてきた。マルチタップ方法の解決を提供する会社は以下の通りである。Ｍｏｔｏｒｏｌａ（例えばｉＴＡＰ）、Ｚｉ（例えばｅＺｉＴｅｘｔ）、ＡＯＬ（Ｔｅｇｉｃ）（例えばＴ９）、Ｅａｔｏｎｉ（例えばＬｅｔｔｅｒＷｉｓｅ）。関連方法にロングタップ法があり、ユーザーは必要な文字がディスプレイに現れるまで、キーを押し続ける。
【０１２０】
他の技術としては、予測テキスト方法論がある。これらの方法論は、データーベースソフトを利用して入力テキストを予測する。１つの方法にはスペルミスの自動訂正を含む（例えば「ｔｅｈ」を「ｔｈｅ」に訂正）。予測テキスト方法論は、既知のワードスペルを、使用の可能性と頻度と組合せて、ユーザーの入力コマンドに基づいて、必要なワードを決定する。曖昧性除去エンジンと予測編集アプリケーションが使用可能で、ユーザー入力のキー打ちの文法的や語義的な解釈を実行する。予測編集アプリケーションでは、装置のディスプレイが、入力されたキー打ちに対応する予測の文字列を示す。典型的には最も通常的に使用されるワードが最初に表示される。ユーザーは手動で通常性の少ないワードも選択できる。他のタイプの予測テキストコンピュータプログラムも、ここに記載のキーボード配置およびキーボードと共に、制限なしに利用できる。
【０１２１】
図１０から図２０、２８および図５３、５４の携帯式移動通信装置１０は類似の特徴を有し、例えばハウジング１２、キーボード１４、および出力装置１６を含む。図示の出力装置はディスプレイ１６で、フルグラフィックＬＣＤが望ましい。他の出力装置も替わりに利用可能である。図５４に図式的に示す処理装置１８は、ハウジング１２内に含まれ、且つ物理キーボード１４とディスプレイ１６の間に接合されている。処理装置１８はディスプレイ１６を制御し、また移動通信装置１０の全動作を制御するが、これはユーザーによるキーボード１４上のキーの活性化に対応するものである。
【０１２２】
ハウジング１２は縦に伸ばすことが可能であり、また他のサイズの形態をとることが可能で、他の構造の中で貝殻形ハウジング構造を含む。キーボードはモード選択キーや、テキスト入力と電話方式入力を切り替えるための他のハードやソフトを含むことができる。
【０１２３】
処理装置１８に加えて、移動通信装置１０の他の部品を図５４に略図で示す。ここには以下が含まれる。通信サブシステム１００、短距離通信サブシステム、キーボード１４、およびディスプレイ１６で、他の入力・出力装置１０６、１０８、１１０および１１２；またメモリー装置１１６、１１８と他の各種サブシステム１２０である。移動通信装置１０は、音声およびデーター通信能力を有する２方向のＲＦ通信装置が望ましい。さらに移動通信装置１０が、インターネットを通じて他のコンピュータシステムと交信する能力が望まれる。
【０１２４】
処理装置１８によって実行される動作システムソフトは、フラッシュメモリー１１６のような、持続性記憶に記憶されることが望ましいが、読取り専用メモリー（ＲＯＭ）や類似の記憶エレメント等の、他のタイプの記憶装置に記憶させてもよい。さらにシステムソフト、特定装置アプリケーションや関連する部品は、ランダムアクセスメモリー（ＲＡＭ）１１８等の揮発性記憶に一時的に入れてもよい。移動通信装置に受信された通信信号も、ＲＡＭ１１８に記憶させられる。
【０１２５】
処理装置１８は、その動作システム機能に加えて、装置１０上のソフトアプリケーション１３０Ａから１３０Ｎを実行可能とする。データーおよび音声通信１３０Ａと１３０Ｂのようなベーシックな装置動作を制御する予定アプリケーションセットを、製造中に装置１０上に据付可能である。さらに個人情報管理（ＰＩＭ）アプリケーションも、製造中に据付できる。ＰＩＭは、Ｅメール、カレンダーイベント、ボイスメール、アポイントおよび作業アイテム等のデーターを組織し管理できることが望ましい。ＰＩＭアプリケーションは、また、無線ネットワーク１４０を通じてデーターアイテムを送信および受信できることが望ましい。ＰＩＭデーターアイテムは、ホストコンピュータ記憶または関連のユーザー対応のデーターアイテムと、無線ネットワーク１４０を通じて絶え間なく統合、同調、また最新化されることが望ましい。このステップを完成させるシステムと方法の一例は、「Ｓｙｓｔｅｍ  Ａｎｄ  Ｍｅｔｈｏｄ  Ｆｏｒ  Ｐｕｓｈｉｎｇ  Ｉｎｆｏｒｍａｔｉｏｎ  Ｆｒｏｍ  Ａ  Ｈｏｓｔ  Ｓｙｓｔｅｍ  Ｔｏ  Ａ  Ｍｏｂｉｌｅ  Ｄｅｖｉｃｅ  Ｈａｖｉｎｇ  Ａ  Ｓｈａｒｅｄ  Ｅｌｅｃｔｒｏｎｉｃ  Ａｄｄｒｅｓｓ」、米国特許番号６、２１９、６９４、現出願者の譲受人所有であり、ここに参照として援用される。
【０１２６】
データーと音声通信を含む通信機能は、通信システム１００を通じて達成されるが、短距離通信サブシステムを通じてであろう。通信サブシステム１００は、レシーバー１５０、トランスミッター１５２、および１つまたはそれ以上のアンテナ１５４、１５６を含む。さらに通信システム１００には、デジタル信号プロセッサー（ＤＳＰ）１５８、およびローカル発信器（ＬＯ）１６０のようなプロセッシングモジュールが含まれる。通信サブシステム１００の特定設計と履行は、移動通信装置１０の動作しようとする通信ネットワークに依存する。例えば、移動通信装置１０には通信サブシステム１００を含ませることが可能で、ＭｏｂｉｔｅｘＴＭ、Ｄａｔａ  ＴＡＣＴＭまたはＧｅｎｅｒａｌ  Ｐａｃｋｅｔ  Ｒａｄｉｏ  Ｓｅｒｖｉｃｅ  （ＧＰＲＳ）移動データー通信ネットワークと動作するよう設計され、またＡＭＰＳ、ＴＤＭＡ、ＣＤＭＡ、  ＰＣＳ、ＧＳＭ等の多くの音声通信ネットワークのいずれとも動作するよう設計されている。他のデーターおよび音声ネットワークも、分離式、統合式とも、移動通信装置１０に利用できる。
【０１２７】
ネットワークアクセス要件は、通信システムのタイプによって異なる。たとえば、ＭｏｂｉｔｅｘとＤａｔａＴＡＣにあっては、移動装置は独自の個人識別番号、または各装置と関連するＰＩＮを使用してネットワーク上に登録される。しかしＧＰＲＳネットワークでは、ネットワークアクセスは加入者か装置のユーザーに関連している。したがってＧＰＲＳ装置は、通常ＳＩＭカードと呼ばれる加入者識別モジュールが、ＧＰＲＳネットワークの動作に必要である。
【０１２８】
必要なネットワーク登録や動作開始手続きが完成すれば、移動通信装置１０が通信ネットワーク１４０上で通信信号を送信、受信できる。アンテナ１５４によって通信ネットワーク１４０から受信した信号は、レシーバー１５０に伝送され、信号増幅、周波数下降変換、フィルタリング、チャンネル選択等を行い、またアナログからデジタルへの変換も行う。受信信号のアナログからデジタルへの変換によって、ＤＳＰ１５８はさらに複雑な通信機能である復調や復号を行う。類似の方法で、ネットワーク１４０に送信される信号は、ＤＳＰ１５８によって処理（例えば、変調、符号化）され、ついでトランスミッター１５２に供与され、デジタルからアナログへの変換、周波数上昇変換、フィルタリング、増幅、およびアンテナ１５６を通じて、通信ネットワーク１４０（または複数のネットワーク）への送信を行う。
【０１２９】
通信信号処理に加えて、ＤＳＰ１５８はレシーバー１５０とトランスミッター１５２を制御する。例えば、レシーバー１５０とトランスミッター１５２中の通信信号に加えられた利得は、ＤＳＰ１５８中で履行される自動利得制御アルゴリズムを通じて、適切に制御される。
【０１３０】
データー通信モードでは、例えばテキストメッセージやダウンロードしたウェブぺージ等の受信信号は、通信サブシステム１００により処理され、処理装置１８に入力される。受信された信号は、ついで処理装置１８で処理され、ディスプレイ１６に出力されるか、他の補助Ｉ／Ｏ装置１０６に出力される。装置のユーザーは、またＥメールメッセージ等のデーターアイテムの構成が可能で、これにはキーボード１４、および／またはタッチパッド、ロッカースイッチ、サムホイール、等の補助Ｉ／Ｏ装置１０６や、他のタイプの入力装置を使用する。構成済みのデーターアイテムは、ついで通信サブシステム１００経由し通信ネットワーク１４０上に送信される。
【０１３１】
音声通信モードにあっては、装置の全体的動作はデーター通信モードに実質的に類似している。ただし受信信号がスピーカー１１０に出力され、送信用の信号がマイクロフォン１１２によって発生されることを除く。音声メッセージ記録サブシステム等の音声またはＩ／Ｏサブシステムも、装置１０上で履行できる。さらにディスプレイ１６は音声通信モードにも利用可能で、たとえば呼出者の確認、音声呼出しの期間や、音声呼出し関連情報の表示がある。
【０１３２】
短距離通信サブシステムは、移動通信装置１０と他の近似システムや装置（これは類似の装置の必要はないが）の間の通信を可能とする。例えば、短距離通信サブシステムは、赤外線装置、および関連回路と部品を含むことが可能であり、またはＢｌｕｅｔｏｏｔｈＴＭ通信モジュールを含み類似能力のシステムおよび装置との通信を提供する。
【０１３３】
上記のように、好適な例示キーボードは、テキスト入力キーボードと電話方式キーパッドの融合を提供するが、これは縮小キーパッド中である。例示のキーボードは２つのモードで使用できる。最初のモードでユーザーはテキスト文字入力に両手を利用するが、これは標準２６キーボードの使用と類似している。第２のモードでは、片手を利用して数字を電話方式モードで入力する。このように例示のキーボードは、入力に２つの異なる方法を提供するが、両方とも、それぞれはユーザーが個別に周知の方法である。
【０１３４】
したがって例示キーボードは、キーボードの動作、およびキーボード上で、テキストと電話方式コマンドの入力の方法に関連する。この方法は、数字を移動通信装置に片手の利用で入力する方法と、テキストを移動通信装置に両手の利用で入力する方法を含む。さらにこの方法は、両手を使って機能コマンドおよび記号を入力する方法も含む。また片手を使って機能コマンドおよび記号を入力することも可能である。
【０１３５】
キーはトグルキーでも、そうでなくてもよい。ここに示す数字以上および以下の、追加や削減の行と列も、機能キーおよび他のキーを位置させるため、必要であれば備えてよい。さらに実施形態によっては、キーは整列させてもよいし、ずらしてもよい。
【０１３６】
ほとんどの例がアルファベット文字のＱＷＥＲＴＹ配置を描いているが、これらの例は他の標準配置に等しく適用できる。さらにＱＷＥＲＴＹキーボードは、各キー上に一定のアルファベット文字の組合せで提供されている。他の組合せも替わりに制限無く利用可能であるが、アルファベット文字が、標準配置と同様の順番であることが条件である。
【０１３７】
ここでは、「実質的に」という言葉は評価条件として使用する。
【０１３８】
上記に請求する発明の種々の特徴を述べたが、その特徴は単独、または組合せて使用できるものと理解すべきである。したがって、請求した発明は、ここに描いた特定の実施形態にのみ限定されるものではない。
【０１３９】
さらに本発明に属する本技術に精通する者にとっては、請求した発明に関係して変更および修正が行えることを理解すべきである。ここに記述する請求した発明の典型的な例である。本開示は、本技術に精通する者に、代替えのエレメントを使用して、本請求に具陳する発明のエレメントに対応する実施形態を作りかつ使用することを可能とする。したがって本発明の意図する範囲は、特許請求の範囲の表現の文言と異ならないか、または実質的に異ならない他の実施形態も含むことができる。本発明の範囲は、添付の特許請求の範囲に定義される。
【図面の簡単な説明】
【０１４０】
【図１】図１は標準ＱＷＥＲＴＹアルファベットキー配置で、そのアルファベットキー配置上に、数字キーアルファベットキー配置が整列している平面図である。
【図２】図２は標準ＱＷＥＲＴＺアルファベットキー配置で、そのアルファベットキー配置上に、数字キーアルファベットキー配置が整列している平面図である。
【図３】図３は標準ＡＺＥＲＴＹアルファベットキー配置で、そのアルファベットキー配置上に、数字キーアルファベットキー配置が整列している平面図である。
【図４】図４は標準ＤＶＯＲＡＫアルファベットキー配置で、そのアルファベットキー配置上に、数字キーアルファベットキー配置が整列している平面図である。
【図５】図５は図１のキー配置を数字キーパッドの横に置いた平面図である。
【図６】図６は標準電話数字キーパッド配置の平面図である。
【図７】図７は標準電話数字／アルファベットキーパッド配置の平面図である。
【図８】図８は従来技術による携帯式移動通信装置の立面図である。
【図９】図９は従来技術による携帯式移動通信装置の立面図である。
【図１０】図１０は携帯式移動通信装置の立面図で、好適なキーボード配置を含む一例である。
【図１１】図１１は他例のキーボードを含む携帯式移動通信装置の正面図である。
【図１１Ａ】図１１Ａは図１１のキーボードの分解図である。
【図１２】図１２は図１１の携帯式移動通信装置の左側面図である。
【図１３】図１３は図１１の携帯式移動通信装置の右側面図である。
【図１４】図１４は図１１の携帯式移動通信装置の背面図である。
【図１５】図１５は図１１の携帯式移動通信装置の底面図である。
【図１６】図１６は図１１の携帯式移動通信装置の背面図であり、ベルトクリップキャリア上に位置している状態。
【図１７】図１７は図１１の携帯式移動通信装置の正面図であり、図１６のベルトクリップキャリア上に位置している状態。
【図１８】図１８は図１１の携帯式移動通信装置の側面図であり、図１６のベルトクリップキャリア上に位置している状態。
【図１９】図１９は図１１の携帯式移動通信装置の上面図であり、図１６のベルトクリップキャリア上に位置している状態。
【図２０】図２０は一例のキーボード配置を含む携帯式装置の正面図である。
【図２１】図２１は縮小ＱＷＥＲＴＹ／数字キーボード用のキーボード配置の一例である。
【図２２】図２２は縮小キーＱＷＥＲＴＹ／数字キーボード用のキーボード配置の他例である。
【図２３】図２３は縮小キーＱＷＥＲＴＹ／数字キーボード用のキーボード配置の代替例である。
【図２４】図２４も縮小キーＱＷＥＲＴＹ／数字キーボード用のキーボード配置の他例である。
【図２５】図２５も縮小キーＱＷＥＲＴＹ／数字キーボード用のキーボード配置の追加例である
【図２６】図２６は縮小キーＱＷＥＲＴＺ／数字キーボード用のキーボード配置の一例である。
【図２７】図２７は縮小キーＡＺＥＲＴＹ／数字キーボード用のキーボード配置の一例である。
【図２８】図２８は従来技術による携帯式移動通信装置の正面図で、縮小キーＱＷＥＲＴＹ・数字キーボード用のキーボード配置の他例である。
【図２９】図２９は縮小キーＱＷＥＲＴＹキーボード用のキーボード配置の一例である。
【図３０】図３０は縮小キーＱＷＥＲＴＹキーボード用のキーボード配置の他例である。
【図３１】図３１も縮小キーＱＷＥＲＴＹキーボード用のキーボード配置の他例である。
【図３２】図３２も縮小キーＱＷＥＲＴＹキーボード用のキーボード配置の追加例である。
【図３３】図３３は縮小キーＱＷＥＲＴＹ／数字キーボード用のキーボード配置の一例である。
【図３４】図３４は縮小キーＱＷＥＲＴＹ／数字キーボード用のキーボード配置の他例である。
【図３５】図３５は縮小キーＱＷＥＲＴＹ／数字キーボード用のキーボード配置の追加例である。
【図３６】図３６は縮小キーＱＷＥＲＴＹ／数字キーボード用のキーボード配置の他例である。
【図３７】図３７も縮小キーＱＷＥＲＴＹ／数字キーボード用のキーボード配置の他例である。
【図３８】図３８は縮小キーＱＷＥＲＴＹ／数字キーボード用のキーボード配置の追加例である。
【図３９】図３９は縮小キーＱＷＥＲＴＹ／数字キーボード用のキーボード配置の他例である。
【図４０】図４０も縮小キーＱＷＥＲＴＹ／数字キーボード用のキーボード配置の他例である。
【図４１】図４１も縮小キーＱＷＥＲＴＹ／数字キーボード用のキーボード配置の追加例である。
【図４２】図４２は縮小キーＱＷＥＲＴＹ／数字キーボード用のキーボード配置の他例である。
【図４３】図４３は縮小キーＱＷＥＲＴＹ／数字キーボード用のキーボード配置の他例である。
【図４４】図４４は縮小キーＱＷＥＲＴＹ／数字キーボード用のキーボード配置の他例である。
【図４５】図４５は縮小キーＱＷＥＲＴＹ／数字キーボード用のキーボード配置の他例である。
【図４６】図４６は縮小キーＱＷＥＲＴＹ／数字キーボード用のキーボード配置の他例である。
【図４７】図４７は縮小キーＱＷＥＲＴＹ／数字キーボード用のキーボード配置の代替例である。
【図４８】図４８は縮小キーＱＷＥＲＴＹ／数字キーボード用のキーボード配置の他の代替例である。
【図４９】図４９も縮小キーＱＷＥＲＴＹ／数字キーボード用のキーボード配置の他の代替例である。
【図５０】図５０は縮小キーＱＷＥＲＴＹ／数字キーボード用のキーボード配置の更なる代替例である。
【図５１】図５１は非縮小キーＱＷＥＲＴＹ／数字キーボード用のキーボード配置の代替例である。
【図５２】図５２は非縮小キーＱＷＥＲＴＹ／数字キーボード用のキーボード配置の他の代替例である。
【図５３】図５３は、一例のキーボード配置を含む携帯式移動通信装置の分解図である。および
【図５４】図５４は一例としての移動通信装置を図示するブロック図である。
【図１】
2007517294.tif 000003
【図２】
2007517294.tif 000004
【図３】
2007517294.tif 000005
【図４】
2007517294.tif 000006
【図５】
2007517294.tif 000007
【図６】
2007517294.tif 000008
【図７】
2007517294.tif 000009
【図８】
2007517294.tif 000010
【図９】
2007517294.tif 000011
【図１０】
2007517294.tif 000012
【図１１】
2007517294.tif 000013
【図１１Ａ】
2007517294.tif 000014
【図１２】
2007517294.tif 000015
【図１３】
2007517294.tif 000016
【図１４】
2007517294.tif 000017
【図１５】
2007517294.tif 000018
【図１６】
2007517294.tif 000019
【図１７】
2007517294.tif 000020
【図１８】
2007517294.tif 000021
【図１９】
2007517294.tif 000022
【図２０】
2007517294.tif 000023
【図２１】
2007517294.tif 000024
【図２２】
2007517294.tif 000025
【図２３】
2007517294.tif 000026
【図２４】
2007517294.tif 000027
【図２５】
2007517294.tif 000028
【図２６】
2007517294.tif 000029
【図２７】
2007517294.tif 000030
【図２８】
2007517294.tif 000031
【図２９】
2007517294.tif 000032
【図３０】
2007517294.tif 000033
【図３１】
2007517294.tif 000034
【図３２】
2007517294.tif 000035
【図３３】
2007517294.tif 000036
【図３４】
2007517294.tif 000037
【図３５】
2007517294.tif 000038
【図３６】
2007517294.tif 000039
【図３７】
2007517294.tif 000040
【図３８】
2007517294.tif 000041
【図３９】
2007517294.tif 000042
【図４０】
2007517294.tif 000043
【図４１】
2007517294.tif 000044
【図４２】
2007517294.tif 000045
【図４３】
2007517294.tif 000046
【図４４】
2007517294.tif 000047
【図４５】
2007517294.tif 000048
【図４６】
2007517294.tif 000049
【図４７】
2007517294.tif 000050
【図４８】
2007517294.tif 000051
【図４９】
2007517294.tif 000052
【図５０】
2007517294.tif 000053
【図５１】
2007517294.tif 000054
【図５２】
2007517294.tif 000055
【図５３】
2007517294.tif 000056
【図５４】
2007517294.tif 000057
【手続補正書】
【提出日】平成18年9月15日(2006.9.15)
【手続補正１】
【補正対象書類名】特許請求の範囲
【補正対象項目名】全文
【補正方法】変更
【補正の内容】
【特許請求の範囲】
【請求項１】
物理キーボードを有する携帯式移動通信装置であって、該装置は、
ハウジングの前表面に配置された複数のキーを有するハウジングを備え、
該複数のキーは、
自身に関連するＡからＺまでの文字の印を有する少なくとも１２個かつ２６個よりも少ないキーの第１のセットであって、該第１のセットの少なくとも一部のキーは、各々が自身に関連する１個よりも多くの文字の印を有し、該文字は、標準的なアルファベットキーボードの配置で配置される、第１のキーセットと、
自身に関連する０から９までの数字の印を有する第２のキーセットであって、該数字は、該標準的なアルファベットキーボードの配置の上に少なくとも部分的にオーバーレイされる電話の数字キーの配置で配置される、第２のキーセットと、
該第１のキーセットの各々の高さよりも高い高さを有するスペースキーとを含む、
携帯式移動通信装置。
【請求項２】
自身に関連するＡからＺまでの文字の印を有する前記第１のキーのセットは、１２個である、請求項１に記載の携帯式移動通信装置。
【請求項３】
自身に関連するＡからＺまでの文字の印を有する前記第１のキーのセットは、１４個である、請求項１に記載の携帯式移動通信装置。
【請求項４】
前記スペースキーが、キーの包括（ｉｎｃｌｕｓｉｖｅ）行の中央にある、請求項１に記載の携帯式移動通信装置。
【請求項５】
前記スペースキーが、数字０にさらに関連する、請求項１に記載の携帯式移動通信装置。
【請求項６】
前記スペースキーが、キーの行に配置され、該キーの行にある残りのキーの下に延びている、請求項１に記載の携帯式移動通信装置。
【請求項７】
前記複数のキーが、複数の列および複数の列を有する格子パターンに配置され、前記スペースキーは、キーの底の行に配置され、該底の行にある残りのキーの下に延びている、請求項１に記載の携帯式移動通信装置。
【請求項８】
前記スペースキーが、キーの前記底の行の中央に配置される、請求項７に記載の携帯式移動通信装置。
【請求項９】
前記スペースキーが、ユーザがタッチに利用する指によって接触されるように構成される、請求項１に記載の携帯式移動通信装置。
【請求項１０】
前記複数のキーは、複数の行および複数の列を有する格子パターンに配置され、前記スペースキーを含む１つの行にあるキーは、上部整列ラインおよび下部整列ラインを有し、該スペースキーは、該上部整列ラインおよび該下部整列ラインのうちの一方を越えて延びている、請求項１に記載の携帯式移動通信装置。
【請求項１１】
前記スペースキーは、底の行に配置される、請求項１０に記載の携帯式移動通信装置。
【請求項１２】
前記スペースキーは、前記下部整列ラインの下に延びている、請求項１０に記載の携帯式移動通信装置。
【請求項１３】
前記スペースキーは、前記上部整列ラインの上に延びている、請求項１０に記載の携帯式移動通信装置。
【請求項１４】
前記標準的なアルファベットキーボードの配置は、ＱＷＥＲＴＹ、ＱＷＥＲＴＺ、ＡＺＥＲＴＹ、およびＤＶＯＲＡＫのレイアウトのうちの１つを含む、請求項１に記載の携帯式移動通信装置。
【請求項１５】
前記アルファベットキーボードの配置に関連する前記第１のキーのセットは、１４個であり、前記複数のキーは、２０個である、請求項１に記載の携帯式移動通信装置。
【請求項１６】
前記複数のキーは、４行および５列に配置され、該４行は、第１行、第２行、第３行、および第４行を順番に含み、該５列は、第１列、第２列、第３列、第４列、および第５列を順番に含む、請求項１に記載の携帯式移動通信装置。
【請求項１７】
前記第１のキーのセットは、前記４行のうちの３行に関連し、前記第２のキーセットは、該４行のうちの各々に関連し、該第１のキーのセットに関連する文字の印は、ＱＷＥＲＴＹ、ＱＷＥＲＴＺ、ＡＺＥＲＴＹ、およびＤＶＯＲＡＫのうちの１つに配置される、請求項１６に記載の携帯式移動通信装置。
【請求項１８】
前記第２のキーセットは、前記５列のうちの３列に関連する、請求項１７に記載の携帯式移動通信装置。
【請求項１９】
前記第２のキーセットは、前記第２列、第３列、第４列に関連する、請求項１７に記載の携帯式移動通信装置。
【請求項２０】
前記第２のキーセットは、前記第１行、第２行、第３行、および第４行のキーに関連し、該第１行のキーは、前記第２列に数字「１」を含み、前記第３列に数字「２」を含み、前記第４列に数字「３」を含み、該第２行のキーは、該第２列に数字「４」を含み、該第３列に数字「５」を含み、該第４列に数字「６」を含み、該第３行のキーは、該第２列に数字「７」を含み、該第３列に数字「８」を含み、該第４列に数字「９」を含み、該第４行のキーは、該第２列に「＊」を含み、該第３列に数字「０」を含み、該第４列に数字「＃」を含む、請求項１７に記載の携帯式移動通信装置。
【請求項２１】
前記第４行のキーは、前記第１列に「ａｌｔ」機能を含み、前記第２列に「ｎｅｘｔ」機能を含み、前記第３列に「ｓｐａｃｅ」機能を含み、前記第４列に「ｓｈｉｆｔ」機能を含み、前記第５列に「ｒｅｔｕｒｎ／ｅｎｔｅｒ」機能を含む、請求項１６に記載の携帯式移動通信装置。
【請求項２２】
前記第１行は、「ＱＷ」、「ＥＲ」、「ＴＹ」、「ＵＩ」、および「ＯＰ」の文字に順番に対応するキーを含む、請求項１６に記載の携帯式移動通信装置。
【請求項２３】
前記第１行は、「ＱＷ」、「ＥＲ」、「ＴＹ」、「ＵＩ」、および「ＯＰ」の文字に順番に対応するキーを含み、前記第２行は、「ＡＳ」、「ＤＦ」、「ＧＨ」、「ＪＫ」、および「Ｌ」の文字に順番に対応するキーを含み、前記第３行は、「ＺＸ」、「ＣＶ」、「ＢＮ」、および「Ｍ」の文字に順番に対応するキーを含む、請求項１６に記載の携帯式移動通信装置。
【請求項２４】
前記第１行は、「ＱＷ」、「ＥＲ」、「ＴＹ」、「ＵＩ」、および「ＯＰ」の文字に順番に対応するキーを含み、前記第２行は、「ＡＳ」、「ＤＦ」、「ＧＨ」、および「ＪＫＬ」の文字に順番に対応するキーを含み、前記第３行は、「ＺＸＣ」、「ＶＢ」、および「ＮＭ」の文字に順番に対応するキーを含む、請求項１６に記載の携帯式移動通信装置。
【請求項２５】
前記第１行は、「ＱＷ」、「ＥＲ」、「ＴＹ」、「ＵＩ」、および「ＯＰ」の文字に順番に対応するキーを含み、前記第２行は、「ＡＳ」、「ＤＦ」、「ＧＨ」、「ＪＫ」、および「Ｌ」の文字に順番に対応するキーを含み、前記第３行は、「Ｚ」、「ＸＣ」、「ＶＢ」、および「ＮＭ」の文字に順番に対応するキーを含む、請求項１６に記載の携帯式移動通信装置。
【請求項２６】
リターン／エンター機能に関連する「ｒｅｔｕｒｎ／ｅｎｔｅｒ」キーをさらに備える、請求項１６に記載の携帯式移動通信装置。
【請求項２７】
前記「ｒｅｔｕｒｎ／ｅｎｔｅｒ」キーは、前記第５列に配置される、請求項２６に記載の携帯式移動通信装置。
【請求項２８】
前記「ｒｅｔｕｒｎ／ｅｎｔｅｒ」キーは、前記第４行に配置される、請求項２６に記載の携帯式移動通信装置。
【請求項２９】
前記複数のキーの少なくとも１つに関連する機能をさらに備える、請求項１に記載の携帯式移動通信装置。
【請求項３０】
前記物理キーボードの前記複数のキーは、複数の行および複数の列に配置されてキーの格子を形成し、該複数の行および該複数の列のうちの少なくとも１つは、直線をなす、請求項１に記載の携帯式移動通信装置。
【請求項３１】
前記複数の行および前記複数の列のうちの少なくとも１つは、非直線的である、請求項３０に記載の携帯式移動通信装置。
【請求項３２】
前記複数のキーの各々は、長方形である、請求項１に記載の携帯式移動通信装置。
【請求項３３】
前記複数のキーの各々は、楕円形である、請求項１に記載の携帯式移動通信装置。
【請求項３４】
前記複数のキーは、第１行、第２行、第３行、および第４行、ならびに第１列、第２列、第３列、第４列、第５列、第６列、第７列を含む４行７列に配置され、該第１行は、７個のキーを含み、該第２行は、７個のキーを含み、該第３行は、７個のキーを含み、該第４行は、３個のキーを含む、請求項１に記載の携帯式移動通信装置。
【請求項３５】
前記第４行の前記３個のキーは、前記第３列、第４列、および第５列に配置される、請求項３４に記載の携帯式移動通信装置。
【請求項３６】
前記第１行は、「Ｑ」、「Ｗ」、「ＥＲ」、「ＴＹ」、「ＵＩ」、「Ｏ」、および「Ｐ」の文字に順番に対応するキーを含み、該第１行のキーは、前記第３列に数字「１」を含み、前記第４列に数字「２」を含み、前記第５列に数字「３」を含む、請求項３４に記載の携帯式移動通信装置。
【請求項３７】
前記第１行は、「Ｑ」、「Ｗ」、「ＥＲ」、「ＴＹ」、「ＵＩ」、「Ｏ」、および「Ｐ」の文字に順番に対応するキーを含み、前記第２行は、「Ａ」、「Ｓ」、「ＤＦ」、「ＧＨ」、「ＪＫ」、および「Ｌ」の文字に順番に対応するキーを含み、前記第３行は、「Ｚ」、「ＸＣ」、「ＶＢ」、および「ＮＭ」の文字に順番に対応するキーを含み、前記第２のキーセットは、該第１行、第２行、第３行、第４行のキーに関連し、該第１行のキーは、前記第３列に数字「１」を含み、前記第４列に数字「２」を含み、前記第５列に数字「３」を含み、該第２行のキーに関連する該第２のキーセットは、該第３列に数字「４」を含み、該第４列に数字「５」を含み、該第５列に数字「６」を含み、該第３行のキーに関連する該第２のキーセットは、該第３列に数字「７」を含み、該第４列に数字「８」を含み、該第５列に数字「９」を含み、該第４行のキーに関連する該第２のキーセットは、該第４列に数字「０」を含む、請求項３４に記載の携帯式移動通信装置。
【請求項３８】
前記複数のキーは、４行および６列のキーを含み、該４行は、第１行、第２行、第３行、および第４行を含み、該６列は、第１列、第２列、第３列、第４列、第５列、第６列を含む、請求項１に記載の携帯式移動通信装置。
【請求項３９】
前記第２のキーセットは、前記第１列、第２列、および第３列、ならびに前記第１行、第２行、第３行、および第４行に関連する、請求項３８に記載の携帯式移動通信装置。
【請求項４０】
前記第１行は、「ＱＷ」、「Ｅ」、「ＲＴ」、「ＹＵ」、「Ｉ」、および「ＯＰ」の文字に順番に対応するキーを含み、前記第２行は、「ＡＳ」、「Ｄ」、「ＦＧ」、「ＨＪ」、「Ｋ」、および「Ｌ」の文字に順番に対応するキーを含み、前記第３行は、「ＺＸ」、「Ｃ」、「Ｖ」、「ＢＮ」、および「Ｍ」の文字に順番に対応するキーを含み、前記第２のキーセットは、前記第１列に数字「１」を含み、前記第２列に数字「２」を含み、前記第３列に数字「３」を含む該第１行のキーを含み、該第２のキーセットは、該第１列に数字「４」を含み、該第２列に数字「５」を含み、該第３列に数字「６」を含みる該第２行のキーに関連するキーを含み、該第２のキーセットは、該第１列に数字「７」を含み、該第２列に数字「８」を含み、該第３列に数字「９」を含む該第３行のキーに関連するキーを含み、前記第４行は、該第１列から該第６列までに整列されていない５個のキーを含み、該第４行のキーは、第１のキー、第２のキー、第３のキー、第４のキー、および第５のキーを含み、該第４行の該第２のキーは、前記電話の数字キーの配置の「０」を含み、該「０」キーは、数字のキー１から９までの残りの真下の中央にある、請求項３８に記載の携帯式移動通信装置。
【請求項４１】
前記第２のキーセットは、前記第２列、第３列、および第４列、ならびに前記第１行、第２行、第３行、および第４行と関連する、請求項３８に記載の携帯式移動通信装置。
【請求項４２】
前記第１行は、「ＱＷ」、「Ｅ」、「ＲＴ」、「ＹＵ」、「Ｉ」、および「ＯＰ」の文字に順番に対応するキーを含み、前記第２行は、「ＡＳ」、「Ｄ」、「ＦＧ」、「ＨＪ」、および「ＫＬ」の文字に順番に対応するキーを含み、前記第３行は、「ＺＸ」、「ＣＶ」、「ＢＮ」、および「Ｍ」の文字に順番に対応するキーを含み、前記第２のキーセットは、前記第２列に数字「１」を含み、前記第３列に数字「２」を含み、前記第４列に数字「３」を含む該第１行のキーを含み、該第２行のキーに関連する該第２のキーセットは、該第２列に数字「４」を含み、該第３列に数字「５」を含み、該第４列に数字「６」を含み、該第３行のキーに関連する該第２のキーセットは、該第２列に数字「７」を含み、該第３列に数字「８」を含み、該第４列に数字「９」を含み、前記第４行は、該第１列から該第６列までに整列されていない３個のキーを含み、該第４行のキーは、第１のキー、第２のキー、および第３のキーを含み、該第４行の該第１のキーは、「＊」を含み、該第４行の該第２のキーは、該第２のキーセットの「０」を含み、該第４行の該第３のキーは、「＃」を含む、請求項３８に記載の携帯式移動通信装置。
【請求項４３】
前記複数のキーは、４行および４列のキーを含み、該４行は、第１行、第２行、第３行、および第４行を含み、該４列は、第１列、第２列、第３列、および第４列を含む、請求項１に記載の携帯式移動通信装置。
【請求項４４】
前記第２のキーセットは、前記第１列、第２列、第３列、ならびに前記第１行、第２行、第３行、および第４行に関連する、請求項４３に記載の携帯式移動通信装置。
【請求項４５】
前記第１行は、「ＱＷＥ」、「ＲＴ」、「ＹＵ」、および「ＩＯＰ」の文字に順番に対応するキーを含み、前記第２行は、「ＡＳＤ」、「ＦＧＨ」、および「ＪＫＬ」の文字に順番に対応するキーを含み、前記第３行は、「ＺＸＣ」、「ＶＢ」、および「ＮＭ」の文字に順番に対応するキーを含み、前記第２のキーセットは、前記第１列に数字「１」を含み、前記第２列に数字「２」を含み、前記第３列に数字「３」を含みる該第１行のキーを含み、該第２のキーセットは、該第１列に数字「４」を含み、該第２列に数字「５」を含み、該第３列に数字「６」を含む該第２行のキーを含み、該第２のキーセットは、該第１列に数字「７」を含み、該第２列に数字「８」を含み、該第３列に数字「９」を含む該第３行のキーを含み、該第４行は、該第１列の「＊」のキーと、該第２列の「０」のキーと、該第３列の「＃」のキーとを含む、請求項４３に記載の携帯式移動通信装置。
【請求項４６】
前記第２行の第４のキーは、「ｂａｃｋｓｐａｃｅ」機能に関連し、前記第３行の第４のキーは、「ｒｅｔｕｒｎ／ｅｎｔｅｒ」機能に関連し、前記第４行の第１のキーは、「ｔｘｔ」機能に関連し、該第４行の第２のキーは、「ｓｐａｃｅ」機能に関連し、該第４行の第３のキーは、「ｓｈｉｆｔ」機能に関連し、該第４行の第４のキーは、「ａｌｔ」機能に関連する、請求項４３に記載の携帯式移動通信装置。
【請求項４７】
前記複数のキーは４行のキーを含み、前記第１行のキーは第１の個数のキーを含み、前記第２行のキーは該第１の個数マイナス１個のキーを含み、前記第３行のキーは該第１の個数マイナス２個のキーを含み、前記第４行のキーは該第１の個数マイナス３個のキーを含む、請求項１に記載の携帯式移動通信装置。
【請求項４８】
４行のキーを備え、前記第１行のキーは第１の個数のキーを含み、前記第２行のキーは該第１行よりも少ないキーを含み、該第３行のキーは該第２行よりも少ないキーを含み、該第４行のキーは該第３行よりも少ないキーを含む、請求項１に記載の携帯式移動通信装置。
【請求項４９】
前記第２のキーセットは、中央線に関して対称的に配置される、請求項１に記載の携帯式移動通信装置。
【請求項５０】
前記複数のキーは、中央線に関して対称的に配置される、請求項１に記載の携帯式移動通信装置。
【請求項５１】
前記第２のキーセットは、前記複数のキーから形成される複数のキー列の中央にある、請求項１に記載の携帯式移動通信装置。
【請求項５２】
前記第２のキーセットは、前記ハウジングの前記前表面上の中央にある、請求項１に記載の携帯式移動通信装置。
【請求項５３】
前記携帯式移動通信装置は、電話方式モードとテキスト入力モードとを有する、請求項１に記載の携帯式移動通信装置。
【請求項５４】
補助Ｉ／Ｏデバイスをさらに備える、請求項１に記載の携帯式移動通信装置。
【請求項５５】
前記補助Ｉ／Ｏデバイスは、タッチパッド、ロッカースイッチ、およびサムホイールのうちの１つである、請求項５４に記載の携帯式移動通信装置。
【請求項５６】
前記複数のキーのうちの１つに関連する「＊」と、該複数のキーのうちの別のものに関連する「＃」とをさらに備え、該「＊」のキーは、前記数字「０」が関連するキーの一方の側に直接隣接して配置され、該「＃」のキーは、該数字「０」が関連するキーの他方の側に直接隣接して配置される、請求項１に記載の携帯式移動通信装置。
【請求項５７】
前記第２のキーセットは、さらに記号を含む、請求項１に記載の携帯式移動通信装置。
【請求項５８】
前記第２のキーセットのうちの少なくとも１つのキーは、突起またはくぼみのうちの１つの形状の識別部を含む、請求項１に記載の携帯式移動通信装置。
【請求項５９】
前記第２のキーセットは、携帯式移動局の表面の実質的に左側に配置される、請求項１に記載の携帯式移動通信装置。
【請求項６０】
前記第２のキーセットは、前記携帯式移動局の表面の実質的に右側に配置される、請求項１に記載の携帯式移動通信装置。
【請求項６１】
前記第２のキーセットは、記号「＊」および「＃」をさらに含む、請求項１に記載の携帯式移動通信装置。
【請求項６２】
前記スペースキーは、前記デバイスの中央線に関して対称的に配置される、請求項１に記載の携帯式移動通信装置。
【請求項６３】
前記スペースキーは、前記ハウジングの前記前表面の中央にある、請求項１に記載の携帯式移動通信装置。
【請求項６４】
前記第２のキーセットによってオーバーレイされない前記第１のキーのセットのキーから、色に基づいて区別される前記第２のキーセットをさらに備える、請求項１に記載の携帯式移動通信装置。
【請求項６５】
前記第２のキーセットに関連する数字の印は、第１の色であり、前記第１のキーのセットに関連するアルファベットの印は、第２の色である、請求項６４に記載の携帯式移動通信装置。
【請求項６６】
前記第２のキーセットの背景色は、該第２のキーセットによってオーバーレイされない前記第１のキーのセットの背景色とは異なる、請求項６４に記載の携帯式移動通信装置。
【請求項６７】
前記第２のキーセットは、前記第２のキーセットの周辺にある前記ハウジングの前記前表面の第１の領域に第１の色を有し、該第２のキーセットによってオーバーレイされないキーの周辺にある該ハウジングの該前表面の第２の領域に第２の色を有することによって区別されている、請求項６４に記載の携帯式移動通信装置。
【請求項６８】
前記第２のキーセットのキーは、２つの色調の外見を有する、請求項１に記載の携帯式移動通信装置。
【請求項６９】
前記第２のキーセットの各キーは、第１の色の第１の部分と、第２の色の第２の部分とを有する、請求項６８に記載の携帯式移動通信装置。
【請求項７０】
前記第２のキーセットの各キーの前記第１の部分は、前記第１の色とは異なる色の自身に関連する数字の印を有する、請求項６９に記載の携帯式移動通信装置。
【国際調査報告】
2007517294.tif 000058
2007517294.tif 000059